(57)【特許請求の範囲】
【請求項１】
電力需要施設における１または複数の負荷を制御可能な需要家装置であって、
電力消費の抑制対象とすべき前記負荷である対象負荷を示す対象負荷情報を受信する受信部と、
前記受信部によって受信された前記対象負荷情報の示す前記対象負荷を制御することにより、前記対象負荷の電力消費を抑制する制御部とを備え、
前記需要家装置は、さらに、
前記電力需要施設において新たに登録すべき負荷である新規負荷、に関する負荷情報を送信する送信部を備え、
前記受信部は、さらに、前記新規負荷が登録された旨を示す応答情報を受信し、
前記需要家装置は、さらに、
１または複数の前記負荷との通信方法に関する情報を記憶する記憶部と、
前記受信部によって受信された前記応答情報に対応する前記新規負荷との通信方法に関する情報を前記記憶部に保存する更新部とを備える、需要家装置。
【請求項２】
前記受信部は、さらに、前記対象負荷の制御内容を示す制御情報を受信し、
前記制御部は、前記制御情報の示す前記制御内容に従って前記対象負荷を制御する、請求項１に記載の需要家装置。
【請求項３】
前記制御部は、前記対象負荷との通信方法に関する情報を前記記憶部から取得し、取得した前記通信方法を用いて前記対象負荷を制御する、請求項１または請求項２に記載の需要家装置。
【請求項４】
前記送信部は、さらに、前記電力需要施設において登録を抹消すべき負荷である抹消対象負荷、に関する負荷情報を送信し、
前記受信部は、さらに、前記抹消対象負荷の登録が抹消された旨を示す応答情報を受信する、請求項１から請求項３のいずれか１項に記載の需要家装置。
【請求項５】
電力需要施設における１または複数の負荷を制御可能な需要家装置であって、
電力消費の抑制対象とすべき前記負荷である対象負荷を示す対象負荷情報を受信する受信部と、
前記受信部によって受信された前記対象負荷情報の示す前記対象負荷を制御することにより、前記対象負荷の電力消費を抑制する制御部とを備え、
前記需要家装置は、さらに、
前記電力需要施設において登録を抹消すべき負荷である抹消対象負荷、に関する負荷情報を送信する送信部を備え、
前記受信部は、さらに、前記抹消対象負荷の登録が抹消された旨を示す応答情報を受信し、
前記需要家装置は、さらに、
１または複数の前記負荷との通信方法に関する情報を記憶する記憶部と、
前記受信部によって受信された前記応答情報に対応する前記抹消対象負荷との通信方法に関する情報を前記記憶部から削除する更新部とを備える、需要家装置。
【請求項６】
前記需要家装置は、さらに、
前記対象負荷の動作状態を示す状態情報を取得する状態情報取得部を備え、
前記送信部は、さらに、前記状態情報取得部によって取得された前記状態情報を送信する、請求項１から請求項５のいずれか１項に記載の需要家装置。
【請求項７】
前記需要家装置は、さらに、
前記電力需要施設における電力消費量を示す電力消費情報を取得する消費情報取得部を備え、
前記送信部は、さらに、前記消費情報取得部によって取得された前記電力消費情報を送信する、請求項１から請求項６のいずれか１項に記載の需要家装置。
【請求項８】
前記制御部は、電力消費の抑制の対象期間の開始タイミングにおいて前記対象負荷の制御を開始し、
前記制御部は、前記対象期間の終了タイミングにおいて前記対象負荷の制御を終了するか、または前記対象期間の終了に関する情報を出力する、請求項１から請求項７のいずれか１項に記載の需要家装置。
【請求項９】
電力需要施設における電力消費を管理する電力消費管理装置であって、
電力系統側から電力消費に関する電力管理情報を取得する管理情報取得部と、
前記管理情報取得部によって取得された前記電力管理情報に基づいて、電力消費の抑制対象とすべき負荷である対象負荷を決定する負荷決定部と、
前記負荷決定部によって決定された前記対象負荷を示す対象負荷情報を需要家装置へ送信する送信部と、
前記対象負荷の動作状態を示す状態情報を前記需要家装置から受信する受信部と、
前記受信部によって受信された前記状態情報に基づいて、前記対象負荷に対する前記需要家装置の制御を評価する評価部と、
前記対象負荷の候補に関する情報を記憶する記憶部と、
前記評価部による前記制御の評価結果に基づいて、前記記憶部における前記対象負荷の候補の中から抹消すべき前記対象負荷を決定し、決定した前記対象負荷に関する情報を前記記憶部から削除する削除部とを備える、電力消費管理装置。
【請求項１０】
前記負荷決定部は、前記電力管理情報に基づいて前記記憶部における前記対象負荷の候補の中から前記対象負荷を決定する、請求項９に記載の電力消費管理装置。
【請求項１１】
前記負荷決定部は、さらに、前記電力管理情報に基づいて、前記対象負荷の制御内容を決定し、
前記送信部は、さらに、前記負荷決定部によって決定された前記制御内容を示す制御情報を前記需要家装置へ送信する、請求項９または請求項１０に記載の電力消費管理装置。
【請求項１２】
前記受信部は、さらに、前記電力需要施設における電力消費量を示す電力消費情報を前記需要家装置から受信し、
前記電力消費管理装置は、さらに、
前記受信部によって受信された電力消費情報の示す前記電力消費量、および前記電力管理情報の示す電力消費の目標を比較し、比較した結果に基づいて前記対象負荷に対する前記需要家装置の制御を評価する評価部を備える、請求項９から請求項１１のいずれか１項に記載の電力消費管理装置。
【請求項１３】
電力需要施設における電力消費を管理する電力消費管理装置であって、
電力系統側から電力消費に関する電力管理情報を取得する管理情報取得部と、
前記管理情報取得部によって取得された前記電力管理情報に基づいて、電力消費の抑制対象とすべき負荷である対象負荷を決定する負荷決定部と、
前記負荷決定部によって決定された前記対象負荷を示す対象負荷情報を需要家装置へ送信する送信部とを備え、
前記負荷決定部は、さらに、前記電力管理情報に基づいて、前記対象負荷の制御内容を決定し、
前記送信部は、さらに、前記負荷決定部によって決定された前記制御内容を示す制御情報を前記需要家装置へ送信し、
前記電力消費管理装置は、さらに、
前記対象負荷の動作状態を示す状態情報を前記需要家装置から受信する受信部と、
前記受信部によって受信された前記状態情報に基づいて、前記対象負荷に対する前記需要家装置の制御を評価する評価部とを備え、
前記負荷決定部は、前記評価部による前記制御の評価結果に基づいて、前回決定した前記対象負荷および前記制御内容の組み合わせとは異なる内容の組み合わせを決定し、
前記送信部は、さらに、前記負荷決定部によって決定された前記異なる内容の組み合わせを示す情報を前記需要家装置へ送信する、電力消費管理装置。
【請求項１４】
電力需要施設における電力消費を管理する電力消費管理装置と、
前記電力需要施設における１または複数の負荷を制御可能な需要家装置とを備え、
前記電力消費管理装置は、電力消費の抑制対象とすべき負荷である対象負荷を示す対象負荷情報を前記需要家装置へ送信し、
前記需要家装置は、前記対象負荷情報を前記電力消費管理装置から受信し、受信した前記対象負荷情報の示す前記対象負荷を制御することにより、前記対象負荷の電力消費を抑制し、
前記需要家装置は、前記電力需要施設において新たに登録すべき負荷である新規負荷、に関する負荷情報を前記電力消費管理装置へ送信し、
前記需要家装置は、前記新規負荷が登録された旨を示す応答情報を前記電力消費管理装置から受信し、
前記需要家装置は、１または複数の前記負荷との通信方法に関する情報を記憶する記憶部を含み、受信した前記応答情報に対応する前記新規負荷との通信方法に関する情報を前記記憶部に保存する、電力消費管理システム。
【請求項１５】
電力需要施設における電力消費を管理する電力消費管理装置と、
前記電力需要施設における１または複数の負荷を制御可能な需要家装置とを備え、
前記電力消費管理装置は、電力消費の抑制対象とすべき負荷である対象負荷を示す対象負荷情報を前記需要家装置へ送信し、
前記需要家装置は、前記対象負荷情報を前記電力消費管理装置から受信し、受信した前記対象負荷情報の示す前記対象負荷を制御することにより、前記対象負荷の電力消費を抑制し、
前記需要家装置は、前記電力需要施設において登録を抹消すべき負荷である抹消対象負荷、に関する負荷情報を前記電力消費管理装置へ送信し、
前記需要家装置は、前記抹消対象負荷の登録が抹消された旨を示す応答情報を前記電力消費管理装置から受信し、
前記需要家装置は、１または複数の前記負荷との通信方法に関する情報を記憶する記憶部を含み、受信した前記応答情報に対応する前記抹消対象負荷との通信方法に関する情報を前記記憶部から削除する、電力消費管理システム。
【請求項１６】
電力需要施設における１または複数の負荷を制御可能な需要家装置における電力消費管理方法であって、
電力消費の抑制対象とすべき前記負荷である対象負荷を示す対象負荷情報を受信するステップと、
受信した前記対象負荷情報の示す前記対象負荷を制御することにより、前記対象負荷の電力消費を抑制するステップと、
前記電力需要施設において新たに登録すべき負荷である新規負荷、に関する負荷情報を送信するステップと、
前記新規負荷が登録された旨を示す応答情報を受信するステップとを含み、
前記需要家装置は、１または複数の前記負荷との通信方法に関する情報を記憶する記憶部を含み、
前記電力消費管理方法は、さらに、
受信した前記応答情報に対応する前記新規負荷との通信方法に関する情報を前記記憶部に保存するステップを含む、電力消費管理方法。
【請求項１７】
電力需要施設における１または複数の負荷を制御可能な需要家装置における電力消費管理方法であって、
電力消費の抑制対象とすべき前記負荷である対象負荷を示す対象負荷情報を受信するステップと、
受信した前記対象負荷情報の示す前記対象負荷を制御することにより、前記対象負荷の電力消費を抑制するステップと、
前記電力需要施設において登録を抹消すべき負荷である抹消対象負荷、に関する負荷情報を送信するステップと、
前記抹消対象負荷の登録が抹消された旨を示す応答情報を受信するステップとを含み、
前記需要家装置は、１または複数の前記負荷との通信方法に関する情報を記憶する記憶部を含み、
前記電力消費管理方法は、さらに、
受信した前記応答情報に対応する前記抹消対象負荷との通信方法に関する情報を前記記憶部から削除するステップを含む、電力消費管理方法。
【請求項１８】
電力需要施設における電力消費を管理する電力消費管理装置における電力消費管理方法であって、
電力系統側から電力消費に関する電力管理情報を取得するステップと、
取得した前記電力管理情報に基づいて、電力消費の抑制対象とすべき負荷である対象負荷を決定するステップと、
決定した前記対象負荷を示す対象負荷情報を需要家装置へ送信するステップと、
前記対象負荷の動作状態を示す状態情報を前記需要家装置から受信するステップと、
受信した前記状態情報に基づいて、前記対象負荷に対する前記需要家装置の制御を評価するステップとを含み、
前記電力消費管理装置は、前記対象負荷の候補に関する情報を記憶する記憶部を含み、
前記電力消費管理方法は、さらに、
前記制御の評価結果に基づいて、前記記憶部における前記対象負荷の候補の中から抹消すべき前記対象負荷を決定し、決定した前記対象負荷に関する情報を前記記憶部から削除するステップを含む、電力消費管理方法。
【請求項１９】
電力需要施設における電力消費を管理する電力消費管理装置における電力消費管理方法であって、
電力系統側から電力消費に関する電力管理情報を取得するステップと、
取得した前記電力管理情報に基づいて、電力消費の抑制対象とすべき負荷である対象負荷を決定するステップと、
決定した前記対象負荷を示す対象負荷情報を需要家装置へ送信するステップとを含み、
前記対象負荷を決定するステップにおいては、さらに、前記電力管理情報に基づいて、前記対象負荷の制御内容を決定し、
前記対象負荷情報を送信するステップにおいては、さらに、決定した前記制御内容を示す制御情報を前記需要家装置へ送信し、
前記電力消費管理方法は、さらに、
前記対象負荷の動作状態を示す状態情報を前記需要家装置から受信するステップと、
受信した前記状態情報に基づいて、前記対象負荷に対する前記需要家装置の制御を評価するステップと、
前記制御の評価結果に基づいて、前回決定した前記対象負荷および前記制御内容の組み合わせとは異なる内容の組み合わせを決定するステップと、
決定した前記異なる内容の組み合わせを示す情報を前記需要家装置へ送信するステップとを含む、電力消費管理方法。
【請求項２０】
電力需要施設における１または複数の負荷を制御可能な需要家装置において用いられる電力消費管理プログラムであって、
コンピュータに、
電力消費の抑制対象とすべき前記負荷である対象負荷を示す対象負荷情報を受信するステップと、
受信した前記対象負荷情報の示す前記対象負荷を制御することにより、前記対象負荷の電力消費を抑制するステップと、
前記電力需要施設において新たに登録すべき負荷である新規負荷、に関する負荷情報を送信するステップと、
前記新規負荷が登録された旨を示す応答情報を受信するステップとを実行させるためのプログラムであり、
前記需要家装置は、１または複数の前記負荷との通信方法に関する情報を記憶する記憶部を含み、
さらに、コンピュータに、
受信した前記応答情報に対応する前記新規負荷との通信方法に関する情報を前記記憶部に保存するステップを実行させるための、電力消費管理プログラム。
【請求項２１】
電力需要施設における１または複数の負荷を制御可能な需要家装置において用いられる電力消費管理プログラムであって、
コンピュータに、
電力消費の抑制対象とすべき前記負荷である対象負荷を示す対象負荷情報を受信するステップと、
受信した前記対象負荷情報の示す前記対象負荷を制御することにより、前記対象負荷の電力消費を抑制するステップと、
前記電力需要施設において登録を抹消すべき負荷である抹消対象負荷、に関する負荷情報を送信するステップと、
前記抹消対象負荷の登録が抹消された旨を示す応答情報を受信するステップとを実行させるためのプログラムであり、
前記需要家装置は、１または複数の前記負荷との通信方法に関する情報を記憶する記憶部を含み、
さらに、コンピュータに、
受信した前記応答情報に対応する前記抹消対象負荷との通信方法に関する情報を前記記憶部から削除するステップを実行させるための、電力消費管理プログラム。
【請求項２２】
電力需要施設における電力消費を管理する電力消費管理装置において用いられる電力消費管理プログラムであって、
コンピュータに、
電力系統側から電力消費に関する電力管理情報を取得するステップと、
取得した前記電力管理情報に基づいて、電力消費の抑制対象とすべき負荷である対象負荷を決定するステップと、
決定した前記対象負荷を示す対象負荷情報を需要家装置へ送信するステップと、
前記対象負荷の動作状態を示す状態情報を前記需要家装置から受信するステップと、
受信した前記状態情報に基づいて、前記対象負荷に対する前記需要家装置の制御を評価するステップとを実行させるためのプログラムであり、
前記電力消費管理装置は、前記対象負荷の候補に関する情報を記憶する記憶部を含み、
さらに、コンピュータに、
前記制御の評価結果に基づいて、前記記憶部における前記対象負荷の候補の中から抹消すべき前記対象負荷を決定し、決定した前記対象負荷に関する情報を前記記憶部から削除するステップを実行させるための、電力消費管理プログラム。
【請求項２３】
電力需要施設における電力消費を管理する電力消費管理装置において用いられる電力消費管理プログラムであって、
コンピュータに、
電力系統側から電力消費に関する電力管理情報を取得するステップと、
取得した前記電力管理情報に基づいて、電力消費の抑制対象とすべき負荷である対象負荷を決定するステップと、
決定した前記対象負荷を示す対象負荷情報を需要家装置へ送信するステップとを実行させるためのプログラムであり、
前記対象負荷を決定するステップにおいては、さらに、前記電力管理情報に基づいて、前記対象負荷の制御内容を決定し、
前記対象負荷情報を送信するステップにおいては、さらに、決定した前記制御内容を示す制御情報を前記需要家装置へ送信し、
さらに、コンピュータに、
前記対象負荷の動作状態を示す状態情報を前記需要家装置から受信するステップと、
受信した前記状態情報に基づいて、前記対象負荷に対する前記需要家装置の制御を評価するステップと、
前記制御の評価結果に基づいて、前回決定した前記対象負荷および前記制御内容の組み合わせとは異なる内容の組み合わせを決定するステップと、
決定した前記異なる内容の組み合わせを示す情報を前記需要家装置へ送信するステップとを実行させるための、電力消費管理プログラム。
【発明の詳細な説明】
【技術分野】
【０００１】
本発明は、需要家装置、電力消費管理装置、電力消費管理システム、電力消費管理方法および電力消費管理プログラムに関し、特に、電力需要施設における電力消費を抑制する需要家装置、電力消費管理装置、電力消費管理システム、電力消費管理方法および電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、ビル等の電力需要施設へのＢＥＭＳ（Ｂｕｉｌｄｉｎｇ  Ｅｎｅｒｇｙ  Ｍａｎａｇｅｍｅｎｔ  Ｓｙｓｔｅｍ）の導入が行われている。
【０００５】
ＢＥＭＳとは、電力需要施設における消費電力量を監視し、電力需要施設における機器または設備等の運転状態を管理することによって、電力需要施設における電力消費の抑制を図るためのシステムである。
【０００６】
ＢＥＭＳは、たとえばアグリゲータと呼ばれる事業者によって導入される。アグリゲータは、ＢＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特開２０１３−１６１１４４号公報
【発明の概要】
【発明が解決しようとする課題】
【０００８】
電力会社および系統運用会社等の系統側事業者は、多くの電力需要施設にＢＥＭＳが導入されることにより、全体的な電力需要を広範囲に調整することが容易となる。
【０００９】
たとえば、系統側事業者は、電力需給の逼迫が予測される場合に、アグリゲータに対して予め節電要請を行なう。そして、アグリゲータは、電力需要施設の需要家に対して節電要請を行なう。
【００１０】
しかしながら、アグリゲータが節電要請を行っても、節電要請の対象期間において当該節電要請に従った電力消費の抑制が需要家の電力需要施設において行われない場合がある。このような場合、十分な節電が行われなくなり、電力需給が逼迫してしまうことがある。
【００１１】
この発明は、上述の課題を解決するためになされたもので、その目的は、電力需要施設における電力消費の抑制をより確実に行わせることが可能な需要家装置、電力消費管理装置、電力消費管理システム、電力消費管理方法および電力消費管理プログラムを提供することである。
【課題を解決するための手段】
【００１２】
（１）上記課題を解決するために、この発明のある局面に係わる需要家装置は、電力需要施設における１または複数の負荷を制御可能な需要家装置であって、電力消費の抑制対象とすべき上記負荷である対象負荷を示す対象負荷情報を受信する受信部と、上記受信部によって受信された上記対象負荷情報の示す上記対象負荷を制御することにより、上記対象負荷の電力消費を抑制する制御部とを備える。
【００１３】
（１１）上記課題を解決するために、この発明のある局面に係わる電力消費管理装置は、電力需要施設における電力消費を管理する電力消費管理装置であって、電力系統側から電力消費に関する電力管理情報を取得する管理情報取得部と、上記管理情報取得部によって取得された上記電力管理情報に基づいて、電力消費の抑制対象とすべき負荷である対象負荷を決定する負荷決定部と、上記負荷決定部によって決定された上記対象負荷を示す対象負荷情報を需要家装置へ送信する送信部とを備える。
【００１４】
（１７）上記課題を解決するために、この発明のある局面に係わる電力消費管理システムは、電力需要施設における電力消費を管理する電力消費管理装置と、上記電力需要施設における１または複数の負荷を制御可能な需要家装置とを備え、上記電力消費管理装置は、電力消費の抑制対象とすべき負荷である対象負荷を示す対象負荷情報を上記需要家装置へ送信し、上記需要家装置は、上記対象負荷情報を上記電力消費管理装置から受信し、受信した上記対象負荷情報の示す上記対象負荷を制御することにより、上記対象負荷の電力消費を抑制する。
【００１５】
（１８）上記課題を解決するために、この発明のある局面に係わる電力消費管理方法は、電力需要施設における１または複数の負荷を制御可能な需要家装置における電力消費管理方法であって、電力消費の抑制対象とすべき上記負荷である対象負荷を示す対象負荷情報を受信するステップと、受信した上記対象負荷情報の示す上記対象負荷を制御することにより、上記対象負荷の電力消費を抑制するステップとを含む。
【００１６】
（１９）上記課題を解決するために、この発明の他の局面に係わる電力消費管理方法は、電力需要施設における電力消費を管理する電力消費管理装置における電力消費管理方法であって、電力系統側から電力消費に関する電力管理情報を取得するステップと、取得した上記電力管理情報に基づいて、電力消費の抑制対象とすべき負荷である対象負荷を決定するステップと、決定した上記対象負荷を示す対象負荷情報を需要家装置へ送信するステップとを含む。
【００１７】
（２０）上記課題を解決するために、この発明のある局面に係わる電力消費管理プログラムは、電力需要施設における１または複数の負荷を制御可能な需要家装置において用いられる電力消費管理プログラムであって、コンピュータに、電力消費の抑制対象とすべき上記負荷である対象負荷を示す対象負荷情報を受信するステップと、受信した上記対象負荷情報の示す上記対象負荷を制御することにより、上記対象負荷の電力消費を抑制するステップとを実行させるためのプログラムである。
【００１８】
（２１）上記課題を解決するために、この発明の他の局面に係わる電力消費管理プログラムは、電力需要施設における電力消費を管理する電力消費管理装置において用いられる電力消費管理プログラムであって、コンピュータに、電力系統側から電力消費に関する電力管理情報を取得するステップと、取得した上記電力管理情報に基づいて、電力消費の抑制対象とすべき負荷である対象負荷を決定するステップと、決定した上記対象負荷を示す対象負荷情報を需要家装置へ送信するステップとを実行させるためのプログラムである。
【００１９】
本発明は、このような特徴的な処理部を備える需要家装置として実現できるだけでなく、需要家装置の一部または全部を実現する半導体集積回路として実現することができる。
【００２０】
また、本発明は、このような特徴的な処理部を備える電力消費管理装置として実現できるだけでなく、電力消費管理装置の一部または全部を実現する半導体集積回路として実現することができる。
【００２１】
また、本発明は、このような特徴的な処理部を備える電力消費管理システムとして実現できるだけでなく、電力消費管理システムの一部または全部を実現する半導体集積回路として実現することができる。
【発明の効果】
【００２２】
本発明によれば、電力需要施設における電力消費の抑制をより確実に行わせることができる。
【図面の簡単な説明】
【００２３】
【図１】図１は、本発明の第１の実施の形態に係る電力消費管理システムの構成を示す図である。
【図２】図２は、本発明の第１の実施の形態に係る電力消費管理システムの適用例を示す図である。
【図３】図３は、本発明の第１の実施の形態に係る電力消費管理システムにおける電力消費管理装置の構成を示す図である。
【図４】図４は、本発明の第１の実施の形態に係る電力消費管理装置における記憶部が保持するＤＬＣマッピングテーブルの一例を示す図である。
【図５】図５は、本発明の第１の実施の形態に係る電力消費管理システムにおける電力消費の抑制の一例を示す図である。
【図６】図６は、本発明の第１の実施の形態に係る電力消費管理システムにおける需要家装置の構成を示す図である。
【図７】図７は、本発明の第１の実施の形態に係る需要家装置における記憶部が保持する負荷制御テーブルの一例を示す図である。
【図８】図８は、本発明の第１の実施の形態に係る電力消費管理システムにおける電力消費抑制処理のシーケンスの一例を示す図である。
【図９】図９は、本発明の第１の実施の形態に係る電力消費管理システムにおける電力消費管理装置の変形例の構成を示す図である。
【図１０】図１０は、本発明の第１の実施の形態に係る電力消費管理システムにおける需要家装置の変形例の構成を示す図である。
【図１１】図１１は、本発明の第１の実施の形態に係る電力消費管理システムにおける電力消費抑制処理のシーケンスの他の例を示す図である。
【図１２】図１２は、本発明の第１の実施の形態に係る電力消費管理システムの変形例における需要家装置の変形例の構成を示す図である。
【図１３】図１３は、本発明の第１の実施の形態に係る電力消費管理システムの変形例におけるＬＡＮ接点変換器の構成を示す図である。
【図１４】図１４は、本発明の第１の実施の形態に係る電力消費管理システムの変形例における負荷の構成を示す図である。
【図１５】図１５は、本発明の第１の実施の形態に係る電力消費管理システムにおける電力消費抑制処理のシーケンスの他の例を示す図である。
【図１６】図１６は、本発明の第２の実施の形態に係る電力消費管理システムにおける需要家装置の構成を示す図である。
【図１７】図１７は、本発明の第２の実施の形態に係る電力消費管理システムにおける電力消費管理装置の構成を示す図である。
【図１８】図１８は、本発明の第２の実施の形態に係る電力消費管理システムにおける新規負荷登録処理のシーケンスの一例を示す図である。
【図１９】図１９は、本発明の第２の実施の形態に係る電力消費管理システムにおける負荷抹消処理のシーケンスの一例を示す図である。
【図２０】図２０は、本発明の第３の実施の形態に係る電力消費管理システムにおける需要家装置の構成を示す図である。
【図２１】図２１は、本発明の第３の実施の形態に係る電力消費管理システムにおける電力消費管理装置の構成を示す図である。
【図２２】図２２は、本発明の第３の実施の形態に係る電力消費管理システムにおける電力消費抑制処理のシーケンスの一例を示す図である。
【図２３】図２３は、本発明の第４の実施の形態に係る電力消費管理システムの適用例を示す図である。
【図２４】図２４は、本発明の第４の実施の形態に係る電力消費管理システムにおける需要家装置の構成を示す図である。
【図２５】図２５は、本発明の第４の実施の形態に係る電力消費管理システムにおける電力消費管理装置の構成を示す図である。
【図２６】図２６は、本発明の第４の実施の形態に係る電力消費管理システムにおける電力消費抑制処理のシーケンスの一例を示す図である。
【発明を実施するための形態】
【００２４】
最初に、本発明の実施形態の内容を列記して説明する。
【００２５】
（１）本発明の実施の形態に係る需要家装置は、電力需要施設における１または複数の負荷を制御可能な需要家装置であって、電力消費の抑制対象とすべき上記負荷である対象負荷を示す対象負荷情報を受信する受信部と、上記受信部によって受信された上記対象負荷情報の示す上記対象負荷を制御することにより、上記対象負荷の電力消費を抑制する制御部とを備える。
【００２６】
このように、たとえば、アグリゲータ側の装置から受信した対象負荷情報の示す対象負荷を制御する構成により、アグリゲータ側の装置は、需要家の電力需要施設における対象負荷を指定することができるので、需要家の電力需要施設における電力消費の抑制をより確実に行わせることができる。これにより、電力需給が逼迫してしまう状況をより確実に回避することができる。また、需要家装置は対象負荷情報に従って対象負荷を制御する構成であればよいので、需要家装置の構成を簡素化することができる。
【００２７】
（２）好ましくは、上記受信部は、さらに、上記対象負荷の制御内容を示す制御情報を受信し、上記制御部は、上記制御情報の示す上記制御内容に従って上記対象負荷を制御する。
【００２８】
このように、たとえば、アグリゲータ側の装置から受信した制御情報の示す内容の制御を対象負荷に対して行う構成により、アグリゲータ側の装置は、電力需要施設における対象負荷の制御内容を指定することができるので、需要家の電力需要施設における電力消費の抑制をより確実に行わせることができる。また、需要家装置は制御情報に従って対象負荷を制御する構成であればよいので、需要家装置の構成を簡素化することができる。また、たとえば、アグリゲータ側の装置において対象負荷に対する制御のバリエーションを増やすことができる。これにより、対象負荷の制御を繊細に行うことができるので、電力消費の抑制量をより細かく調整することができる。また、対象負荷の種類に応じた制御を行うことができるので、需要家の電力需要施設における節電の弊害を緩和することができる。具体的には、たとえば空調装置に対しては、オフする制御の代わりに設定値を変更する制御を行うことで、電力消費を抑制しながら居住環境の不快さの程度を緩和することができる。
【００２９】
（３）好ましくは、上記需要家装置は、さらに、１または複数の上記負荷との通信方法に関する情報を記憶する記憶部を備え、上記制御部は、上記対象負荷との通信方法に関する情報を上記記憶部から取得し、取得した上記通信方法を用いて上記対象負荷を制御する。
【００３０】
このような構成により、たとえば、アグリゲータ側の装置が対象負荷と直接通信することができない場合においても、アグリゲータ側の装置は、需要家装置を介して対象負荷と通信を行うことができるので、当該対象負荷を容易に制御することができる。
【００３１】
（４）好ましくは、上記需要家装置は、さらに、上記電力需要施設において新たに登録すべき負荷である新規負荷、に関する負荷情報を送信する送信部を備え、上記受信部は、さらに、上記新規負荷が登録された旨を示す応答情報を受信する。
【００３２】
このような構成により、需要家装置における処理によってたとえばアグリゲータ側の装置に新規負荷を登録することができるので、アグリゲータ側の装置を操作して新規負荷を登録するというオペレータの負担を軽減し、かつ新規負荷の登録を迅速に行うことができる。また、登録情報を含むテーブルのメンテナンス処理の負荷を軽減することができる。
【００３３】
（５）好ましくは、上記需要家装置は、さらに、上記電力需要施設において新たに登録すべき負荷である新規負荷、に関する負荷情報を送信する送信部を備え、上記受信部は、さらに、上記新規負荷が登録された旨を示す応答情報を受信し、上記需要家装置は、さらに、１または複数の上記負荷との通信方法に関する情報を記憶する記憶部と、上記受信部によって受信された上記応答情報に対応する上記新規負荷との通信方法に関する情報を上記記憶部に保存する更新部とを備える。
【００３４】
このように、たとえば、アグリゲータ側の装置に新規負荷が登録されたことに応答して新規負荷との通信方法に関する情報を記憶部に保存する構成により、アグリゲータ側の装置における登録内容と記憶部における保存内容との同期をとることができる。
【００３５】
（６）好ましくは、上記需要家装置は、さらに、上記電力需要施設において登録を抹消すべき負荷である抹消対象負荷、に関する負荷情報を送信する送信部を備え、上記受信部は、さらに、上記抹消対象負荷の登録が抹消された旨を示す応答情報を受信する。
【００３６】
このような構成により、需要家装置における処理によってたとえばアグリゲータ側の装置から抹消対象負荷を抹消することができるので、アグリゲータ側の装置を操作して抹消対象負荷を抹消するというオペレータの負担を軽減し、かつ抹消対象負荷の抹消を迅速に行うことができる。また、登録情報を含むテーブルのメンテナンス処理の負荷を軽減することができる。
【００３７】
（７）好ましくは、上記需要家装置は、さらに、上記電力需要施設において登録を抹消すべき負荷である抹消対象負荷、に関する負荷情報を送信する送信部を備え、上記受信部は、さらに、上記抹消対象負荷の登録が抹消された旨を示す応答情報を受信し、上記需要家装置は、さらに、１または複数の上記負荷との通信方法に関する情報を記憶する記憶部と、上記受信部によって受信された上記応答情報に対応する上記抹消対象負荷との通信方法に関する情報を上記記憶部から削除する更新部とを備える。
【００３８】
このように、たとえば、アグリゲータ側の装置から抹消対象負荷が抹消されたことに応答して抹消対象負荷との通信方法に関する情報を記憶部から削除する構成により、アグリゲータ側の装置における登録内容と記憶部における保存内容との同期をとることができる。
【００３９】
（８）好ましくは、上記需要家装置は、さらに、上記対象負荷の動作状態を示す状態情報を取得する状態情報取得部と、上記状態情報取得部によって取得された上記状態情報を送信する送信部とを備える。
【００４０】
このような構成により、需要家装置の動作状態をたとえばアグリゲータ側の装置へ通知することができるので、アグリゲータ側の装置は、需要家装置の動作状態に基づいて、たとえば対象負荷の電力消費を抑制する制御に対してフィードバックをかけることができる。
【００４１】
（９）好ましくは、上記需要家装置は、さらに、上記電力需要施設における電力消費量を示す電力消費情報を取得する消費情報取得部と、上記消費情報取得部によって取得された上記電力消費情報を送信する送信部とを備える。
【００４２】
このような構成により、需要家装置の電力消費量をたとえばアグリゲータ側の装置へ通知することができるので、アグリゲータ側の装置は、電力消費量に基づいて、対象負荷の電力消費を抑制する制御に対してフィードバックをかけることができる。
【００４３】
（１０）好ましくは、上記制御部は、電力消費の抑制の対象期間の開始タイミングにおいて上記対象負荷の制御を開始し、上記制御部は、上記対象期間の終了タイミングにおいて上記対象負荷の制御を終了するか、または上記対象期間の終了に関する情報を出力する。
【００４４】
このような構成により、対象負荷の制御を対象期間の開始タイミングより前の状態に自動で戻すことができるので、需要家の負担を軽減することができる。また、対象負荷の電力消費を抑制する制御が終了したことを通知することができる。
【００４５】
（１１）本発明の実施の形態に係る電力消費管理装置は、電力需要施設における電力消費を管理する電力消費管理装置であって、電力系統側から電力消費に関する電力管理情報を取得する管理情報取得部と、上記管理情報取得部によって取得された上記電力管理情報に基づいて、電力消費の抑制対象とすべき負荷である対象負荷を決定する負荷決定部と、上記負荷決定部によって決定された上記対象負荷を示す対象負荷情報を需要家装置へ送信する送信部とを備える。
【００４６】
このような構成により、需要家の電力需要施設における対象負荷を電力消費管理装置において指定することができるので、需要家の電力需要施設における電力消費の抑制をより確実に行わせることができる。これにより、電力需給が逼迫してしまう状況を回避することができる。
【００４７】
（１２）好ましくは、上記電力消費管理装置は、さらに、上記対象負荷の候補に関する情報を記憶する記憶部を備え、上記負荷決定部は、上記電力管理情報に基づいて上記記憶部における上記対象負荷の候補の中から上記対象負荷を決定する。
【００４８】
このような構成により、たとえば複数の電力需要施設における対象負荷の候補の中から対象負荷をそれぞれ指定することができるので、電力消費管理システム全体として最適な電力消費の抑制を行うことができる。また、対象負荷の候補をたとえば需要家により電力消費管理装置に設定することができるので、対象負荷の候補を、電力消費を抑制する制御を需要家が容認できる負荷に限定することができる。これにより、節電要請の対象期間における需要家の電力需要施設における不便さを軽減することができる。
【００４９】
（１３）好ましくは、上記負荷決定部は、さらに、上記電力管理情報に基づいて、上記対象負荷の制御内容を決定し、上記送信部は、さらに、上記負荷決定部によって決定された上記制御内容を示す制御情報を上記需要家装置へ送信する。
【００５０】
このような構成により、電力需要施設における対象負荷の制御内容を指定することができるので、需要家の電力需要施設における電力消費の抑制をより確実に行わせることができる。また、たとえば複数の電力需要施設における対象負荷の制御内容をそれぞれ指定することができるので、電力消費管理システム全体としてより最適な電力消費の抑制を行うことができる。また、たとえば、アグリゲータ側の装置において対象負荷に対する制御のバリエーションを増やすことができる。これにより、対象負荷の制御を繊細に行うことができるので、電力消費の抑制量をより細かく調整することができる。また、対象負荷の種類に応じた制御を行うことができるので、需要家の電力需要施設における節電の弊害を緩和することができる。具体的には、たとえば空調装置に対しては、オフする制御の代わりに設定値を変更する制御を行うことで、電力消費を抑制しながら居住環境の不快さの程度を緩和することができる。
【００５１】
（１４）好ましくは、上記電力消費管理装置は、さらに、上記対象負荷の動作状態を示す状態情報を上記需要家装置から受信する受信部と、上記受信部によって受信された上記状態情報に基づいて、上記対象負荷に対する上記需要家装置の制御を評価する評価部とを備える。
【００５２】
このような構成により、対象負荷に対する需要家装置の制御の評価結果に基づいて、たとえば現在の需要家装置の動作状態に応じた内容の制御へ変更することができる。
【００５３】
（１５）好ましくは、上記電力消費管理装置は、さらに、上記電力需要施設における電力消費量を示す電力消費情報を上記需要家装置から受信する受信部と、上記受信部によって受信された電力消費情報の示す上記電力消費量、および上記電力管理情報の示す電力消費の目標を比較し、比較した結果に基づいて上記対象負荷に対する上記需要家装置の制御を評価する評価部とを備える。
【００５４】
このような構成により、対象負荷に対する需要家装置の制御の、需要家装置の電力消費量に基づく適切な評価結果を用いて、たとえば需要家装置の電力消費量を電力管理情報の示す電力消費の目標により近づける制御を行うことができる。
【００５５】
（１６）より好ましくは、上記電力消費管理装置は、さらに、上記対象負荷の候補に関する情報を記憶する記憶部と、上記評価部による上記制御の評価結果に基づいて、上記記憶部における上記対象負荷の候補の中から抹消すべき上記対象負荷を決定し、決定した上記対象負荷に関する情報を上記記憶部から削除する削除部とを備える。
【００５６】
このような構成により、たとえば制御性が悪い対象負荷の候補を記憶部から削除することができるので、記憶部における対象負荷の候補において制御性が良い対象負荷の候補の割合を増やすことができる。また、たとえば電力消費の抑制能力が低い対象負荷の候補を記憶部から削除することができるので、記憶部における対象負荷の候補において電力消費の抑制能力が高い対象負荷の候補の割合を増やすことができる。
【００５７】
（１７）本発明の実施の形態に係る電力消費管理システムは、電力需要施設における電力消費を管理する電力消費管理装置と、上記電力需要施設における１または複数の負荷を制御可能な需要家装置とを備え、上記電力消費管理装置は、電力消費の抑制対象とすべき負荷である対象負荷を示す対象負荷情報を上記需要家装置へ送信し、上記需要家装置は、上記対象負荷情報を上記電力消費管理装置から受信し、受信した上記対象負荷情報の示す上記対象負荷を制御することにより、上記対象負荷の電力消費を抑制する。
【００５８】
このように、電力消費管理装置から送信される対象負荷情報の示す対象負荷を需要家装置が制御する構成により、電力消費管理装置は、需要家の電力需要施設における対象負荷を指定することができるので、需要家の電力需要施設における電力消費の抑制をより確実に行わせることができる。これにより、電力需給が逼迫してしまう状況を回避することができる。また、需要家装置は対象負荷情報に従って対象負荷を制御する構成であればよいので、需要家装置の構成を簡素化することができる。
【００５９】
（１８）本発明の実施の形態に係る電力消費管理方法は、電力需要施設における１または複数の負荷を制御可能な需要家装置における電力消費管理方法であって、電力消費の抑制対象とすべき上記負荷である対象負荷を示す対象負荷情報を受信するステップと、受信した上記対象負荷情報の示す上記対象負荷を制御することにより、上記対象負荷の電力消費を抑制するステップとを含む。
【００６０】
このように、たとえば、アグリゲータ側の装置から受信した対象負荷情報の示す対象負荷を制御する構成により、アグリゲータ側の装置は、需要家の電力需要施設における対象負荷を指定することができるので、需要家の電力需要施設における電力消費の抑制をより確実に行わせることができる。これにより、電力需給が逼迫してしまう状況をより確実に回避することができる。また、需要家装置は対象負荷情報に従って対象負荷を制御する構成であればよいので、需要家装置の構成を簡素化することができる。
【００６１】
（１９）本発明の実施の形態に係る電力消費管理方法は、電力需要施設における電力消費を管理する電力消費管理装置における電力消費管理方法であって、電力系統側から電力消費に関する電力管理情報を取得するステップと、取得した上記電力管理情報に基づいて、電力消費の抑制対象とすべき負荷である対象負荷を決定するステップと、決定した上記対象負荷を示す対象負荷情報を需要家装置へ送信するステップとを含む。
【００６２】
このような構成により、需要家の電力需要施設における対象負荷を電力消費管理装置において指定することができるので、需要家の電力需要施設における電力消費の抑制をより確実に行わせることができる。これにより、電力需給が逼迫してしまう状況を回避することができる。
【００６３】
（２０）本発明の実施の形態に係る電力消費管理プログラムは、電力需要施設における１または複数の負荷を制御可能な需要家装置において用いられる電力消費管理プログラムであって、コンピュータに、電力消費の抑制対象とすべき上記負荷である対象負荷を示す対象負荷情報を受信するステップと、受信した上記対象負荷情報の示す上記対象負荷を制御することにより、上記対象負荷の電力消費を抑制するステップとを実行させるためのプログラムである。
【００６４】
このように、たとえば、アグリゲータ側の装置から受信した対象負荷情報の示す対象負荷を制御する構成により、アグリゲータ側の装置は、需要家の電力需要施設における対象負荷を指定することができるので、需要家の電力需要施設における電力消費の抑制をより確実に行わせることができる。これにより、電力需給が逼迫してしまう状況をより確実に回避することができる。また、需要家装置は対象負荷情報に従って対象負荷を制御する構成であればよいので、需要家装置の構成を簡素化することができる。
【００６５】
（２１）本発明の実施の形態に係る電力消費管理プログラムは、電力需要施設における電力消費を管理する電力消費管理装置において用いられる電力消費管理プログラムであって、コンピュータに、電力系統側から電力消費に関する電力管理情報を取得するステップと、取得した上記電力管理情報に基づいて、電力消費の抑制対象とすべき負荷である対象負荷を決定するステップと、決定した上記対象負荷を示す対象負荷情報を需要家装置へ送信するステップとを実行させるためのプログラムである。
【００６６】
このような構成により、需要家の電力需要施設における対象負荷を電力消費管理装置において指定することができるので、需要家の電力需要施設における電力消費の抑制をより確実に行わせることができる。これにより、電力需給が逼迫してしまう状況を回避することができる。
【００６７】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００６８】
＜第１の実施の形態＞
［構成および基本動作］
図１は、本発明の第１の実施の形態に係る電力消費管理システムの構成を示す図である。
【００６９】
図１を参照して、電力消費管理システム３０１は、系統側管理装置１５１と、電力消費管理装置１０１と、需要家装置２０２Ａ，２０２Ｂ，２０２Ｃと、高負荷２０３Ａ，２０３Ｂ，２０３Ｃと、低負荷２０４Ａ，２０４Ｂ，２０４Ｃとを備える。
【００７０】
以下、需要家装置２０２Ａ，２０２Ｂ，２０２Ｃの各々を、需要家装置２０２とも称する。高負荷２０３Ａ，２０３Ｂ，２０３Ｃの各々を、高負荷２０３とも称する。低負荷２０４Ａ，２０４Ｂ，２０４Ｃの各々を、低負荷２０４とも称する。高負荷２０３および低負荷２０４の各々を、負荷２０５とも称する。
【００７１】
図１では、３つの需要家装置２０２を代表的に示しているが、さらに多数または少数の需要家装置２０２が設けられてもよい。また、需要家装置２０２に対応して１つの高負荷２０３を代表的に示しているが、さらに多数または少数の高負荷２０３が需要家装置２０２に対応して設けられてもよい。また、需要家装置２０２に対応して１つの低負荷２０４を代表的に示しているが、さらに多数または少数の低負荷２０４が需要家装置２０２に対応して設けられてもよい。
【００７２】
系統側管理装置１５１は、電力系統側である電力会社または系統運用会社等によって運用され、電力消費に関する電力管理情報を含むＤＲ（Ｄｅｍａｎｄ  Ｒｅｓｐｏｎｓｅ）要請信号を電力消費管理装置１０１へ送信する。電力管理情報は、たとえば、電力消費の抑制の対象期間（以下、ＤＲ期間とも称する。）の開始タイミングであるＤＲ開始タイミングおよびＤＲ期間の長さ、ならびに依頼電力量、電力消費の削減依頼量または削減レベルの少なくともいずれか一つを含む。なお、電力管理情報には、ＤＲ期間の長さの代わりにＤＲ期間の終了タイミングであるＤＲ終了タイミングが含まれていてもよい。
【００７３】
需要家装置２０２は、電力会社から電力の供給を受けるビル、工場または一般家庭等の電力需要施設において用いられる。需要家装置２０２は、電力需要施設ごとに１つ設けられてもよいし、電力需要施設ごとに複数設けられてもよい。電力会社は、たとえば発電事業者または電力小売り事業者である。
【００７４】
需要家装置２０２は、電力需要施設における１または複数の負荷２０５を制御可能である。負荷２０５は、二次電池をエネルギー源とする二次電池式電気自動車およびプラグインハイブリッドカー、ならびに照明、テレビおよび空調装置等の電気機器である。
【００７５】
より詳細には、需要家装置２０２は、電気機器の動作を制御することによって消費電力の削減を図るためのＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）等のシステムにおいて用いられる装置であり、たとえばアグリゲータによって導入される。
【００７６】
電力消費管理装置１０１は、たとえばアグリゲータによって運用され、１または複数の需要家装置２０２と通信を行なうことにより、１または複数の電力需要施設における電力消費を管理する。電力消費管理装置１０１は、たとえば、需要家装置２０２が設けられる電力需要施設から遠隔の場所に設置されることが多い。
【００７７】
［課題］
たとえば、電力消費管理装置１０１は、系統側管理装置１５１からＤＲ要請信号を受信すると、受信したＤＲ要請信号に含まれる電力管理情報に基づいて、電力消費に関する指示情報を１または複数の需要家装置２０２に通知する指示処理を行なう。
【００７８】
より詳細には、電力消費管理装置１０１は、たとえば、電力管理情報に基づいて、電力消費を抑制すべき節電期間、および抑制すべき電力量である抑制量を節電目標として示す指示情報を１または複数の需要家装置２０２へ通知する。なお、節電目標は、抑制すべき電力量に限らず、たとえば削減率または削減割合であってもよい。
【００７９】
需要家装置２０２は、電力消費管理装置１０１から指示情報を受信すると、受信した指示情報に基づいて、自己が制御可能な１または複数の負荷２０５に対して節電のための制御を行うか否かの判断を行う。この判断は、たとえば需要家装置２０２の節電ポリシーに従って行われる。すなわち、需要家装置２０２が主体的に負荷２０５を制御する。そして、需要家装置２０２は、節電のための制御対象とすべきと判断した負荷２０５に、節電を行わせるための制御指示を出力する。
【００８０】
具体的には、需要家装置２０２Ａは、たとえば、自己の節電ポリシーに従って、高負荷２０３Ａの制御を行うと判断して高負荷２０３Ａに制御指示を出力する一方、低負荷２０４Ａの制御を行わないと判断する。
【００８１】
また、需要家装置２０２Ｂは、たとえば、自己の節電ポリシーに従って、高負荷２０３Ｂの制御を行わないと判断する一方、低負荷２０４Ｂの制御を行うと判断して低負荷２０４Ｂに制御指示を出力する。
【００８２】
また、需要家装置２０２Ｃは、たとえば、自己の節電ポリシーに従って、高負荷２０３Ｃおよび低負荷２０４Ｃの両方の制御を行わないと判断する。
【００８３】
すなわち、この例では、負荷２０５に対する節電のための制御に関する判断が需要家装置２０２において行われることから、電力消費管理装置１０１からの指示情報に対する電力需要施設における節電は、需要家装置２０２に大きく依存することになる。
【００８４】
そこで、本発明の実施の形態に係る電力消費管理システム３０１における電力消費管理装置１０１および需要家装置２０２では、以下のような構成および動作により、このような課題を解決する。
【００８５】
［電力消費管理システムの適用例］
図２は、本発明の第１の実施の形態に係る電力消費管理システムの適用例を示す図である。
【００８６】
図２を参照して、電力会社の施設には、たとえばサーバである系統側管理装置１５１が設けられている。アグリゲータの施設には、たとえばＤＲＡＳ（Ｄｅｍａｎｄ  Ｒｅｓｐｏｎｓｅ  Ａｕｔｏｍａｔｉｏｎ  Ｓｅｒｖｅｒ）である電力消費管理装置１０１が設けられている。各需要家のうちの１つである需要家ＡＡＡの施設には、たとえば計測装置および制御装置の機能を有する需要家装置２０２と、ＬＡＮ（Ｌｏｃａｌ  Ａｒｅａ  Ｎｅｔｗｏｒｋ）接点変換器２０７と、前述の負荷２０５である負荷２０５Ａ〜２０５Ｅとが設けられている。以下、負荷２０５Ａ，２０５Ｂ，２０５Ｃ，２０５Ｄ，２０５Ｅの識別子すなわちＩＤは、それぞれＡＡＡ−１，ＡＡＡ−２，ＡＡＡ−３，ＡＡＡ−４，ＡＡＡ−５である。また、「需要家ＡＡＡ」における「ＡＡＡ」は、需要家ＡＡＡのＩＤを示すものとする。
【００８７】
たとえば、負荷２０５Ａ，２０５Ｂ，２０５Ｃ，２０５Ｅは、二次電池式電気自動車、プラグインハイブリッドカー、照明、およびテレビ等、オンまたはオフの制御を受け付け可能な負荷である。また、たとえば、負荷２０５Ｄは、空調装置等、設定値の受け付けおよびオンまたはオフの制御を受け付け可能な負荷である。
【００８８】
系統側管理装置１５１は、たとえば、卸電力価格が高騰または電力需給が逼迫した場合において、電力管理情報を含むＤＲ要請信号をたとえばインターネット１０経由で電力消費管理装置１０１へ送信する。
【００８９】
［電力消費管理装置］
図３は、本発明の第１の実施の形態に係る電力消費管理システムにおける電力消費管理装置の構成を示す図である。
【００９０】
図３を参照して、電力消費管理装置１０１は、受信部２２と、送信部２３と、管理情報取得部２４と、負荷決定部２５と、記憶部２６とを備える。
【００９１】
管理情報取得部２４は、電力系統側から電力消費に関する電力管理情報を取得する。より詳細には、受信部２２は、系統側管理装置１５１からＤＲ要請信号をインターネット１０経由で受信すると、受信したＤＲ要請信号を管理情報取得部２４へ出力する。
【００９２】
管理情報取得部２４は、受信部２２からＤＲ要請信号を受けると、受けたＤＲ要請信号から電力管理情報を取得し、取得した電力管理情報を負荷決定部２５へ出力する。
【００９３】
図４は、本発明の第１の実施の形態に係る電力消費管理装置における記憶部が保持するＤＬＣ（Ｄｉｒｅｃｔ  Ｌｏａｄ  Ｃｏｎｔｒｏｌ）マッピングテーブルの一例を示す図である。
【００９４】
図４を参照して、記憶部２６は、電力消費の抑制対象とすべき負荷２０５（以下、対象負荷２０５とも称する。）の候補に関する情報を含むＤＬＣマッピングテーブルＴｂｌ１を記憶する。
【００９５】
具体的には、ＤＬＣマッピングテーブルＴｂｌ１には、１または複数の節電パターンが、節電指示を与えるべき需要家の候補である需要家候補のＩＤに対応付けられている。たとえば、図４に示すように、ＤＬＣマッピングテーブルＴｂｌ１には、１または複数の節電パターンが、節電指示を与えるべき需要家の候補である需要家候補のＩＤごとにまとめられている。節電パターンは、対象負荷２０５の候補である対象負荷候補のＩＤ（以下、対象負荷候補ＩＤとも称する。）と、当該対象負荷候補が抑制可能な電力量を示す抑制可能量と、当該対象負荷候補に与えるべき制御内容とを含む。
【００９６】
ＤＬＣマッピングテーブルＴｂｌ１の内容は、たとえば、アグリゲータにおけるオペレータにより入力される。
【００９７】
また、記憶部２６は、たとえば需要家のＩＤと当該需要家の需要家装置２０２のアドレスとの対応関係を示すアドレス表を保持している。
【００９８】
［需要家の選択］
負荷決定部２５は、たとえば、管理情報取得部２４から電力管理情報を受けると、記憶部２６からＤＬＣマッピングテーブルＴｂｌ１を取得し、取得したＤＬＣマッピングテーブルＴｂｌ１の内容に基づいて需要家を選択する。
【００９９】
具体的には、負荷決定部２５は、以下のいずれかの方法を用いて、ＤＬＣマッピングテーブルＴｂｌ１に含まれる需要家候補の中から節電対象の需要家である対象需要家を選択する。なお、ＤＬＣマッピングテーブルＴｂｌ１は、複数の需要家候補を含む内容に限らず、１人の需要家候補を含む内容であってもよい。この場合、負荷決定部２５は、たとえば当該１人の需要家候補を対象需要家として決定する。
【０１００】
たとえば、負荷決定部２５は、ＤＬＣマッピングテーブルＴｂｌ１における需要家候補のすべてを対象需要家として選択する。
【０１０１】
また、たとえば、各需要家候補に優先度が付与されている場合、負荷決定部２５は、当該優先度に応じて需要家候補の中から対象需要家を選択する。このような優先度は、たとえば、電力需要施設ごとの契約等に基づいて各需要家候補に付与される。
【０１０２】
また、たとえば、負荷決定部２５は、ＤＬＣマッピングテーブルＴｂｌ１における需要家候補の中から輪番で対象需要家を選択する。
【０１０３】
また、たとえば、負荷決定部２５は、ＤＬＣマッピングテーブルＴｂｌ１における需要家候補の中からランダムに対象需要家を選択する。
【０１０４】
また、たとえば、負荷決定部２５は、ＤＬＣマッピングテーブルＴｂｌ１における需要家候補の中から、各需要家候補の住所情報を用いること等により、郵便番号単位、市町村および番地単位、変電所単位、トランス単位、天気予報の地域エリア単位、又は仮想的な任意のグループ単位で対象需要家を選択する。
【０１０５】
図５は、本発明の第１の実施の形態に係る電力消費管理システムにおける電力消費の抑制の一例を示す図である。
【０１０６】
図５を参照して、たとえば、負荷決定部２５は、ＤＬＣマッピングテーブルＴｂｌ１における需要家候補の中から、各需要家候補の電力需要施設における過去の抑制量の実績値に基づいて対象需要家を選択する。
【０１０７】
より詳細には、たとえば、系統側管理装置１５１は、電力需給の逼迫が予想される場合、節電期間Ｂ、および節電期間Ｂにおける消費電力量の上限値である依頼電力量Ａを決定する。そして、系統側管理装置１５１は、節電期間Ｂの開始タイミング、節電期間Ｂの長さ、および依頼電力量Ａを含む電力管理情報をＤＲ要請信号に含めて電力消費管理装置１０１へ送信する。
【０１０８】
管理情報取得部２４は、系統側管理装置１５１から受信部２２経由でＤＲ要請信号を受信すると、受信したＤＲ要請信号から電力管理情報を取得し、取得した電力管理情報を負荷決定部２５へ出力する。
【０１０９】
負荷決定部２５は、たとえば、管理情報取得部２４から電力管理情報を受けると、受けた電力管理情報から節電期間Ｂの開始タイミング、節電期間Ｂの長さ、および依頼電力量Ａを取得する。
【０１１０】
負荷決定部２５は、たとえば、各電力需要施設における消費電力量の想定値の総和である想定総電力量Ｃを系統側管理装置１５１から受信部２２および管理情報取得部２４経由で受信するか、または保持している。想定総電力量Ｃは、たとえば、ベースラインと呼ばれる、電力消費を抑制しなかった場合の電力消費量であり、過去の電力消費データ等に基づいて算出される。
【０１１１】
想定総電力量Ｃから依頼電力量Ａを減算した結果が、電力消費管理装置１０１が配下の各需要家装置２０２に要請すべき総依頼抑制量Ｄすなわち削減依頼量である。
【０１１２】
以下、電力需要施設の選択および想定総抑制量の算出の具体例について詳細に説明する。
【０１１３】
負荷決定部２５は、たとえば以下の（Ａ１）〜（Ａ３）および（Ｂ）のいずれかの方法を用いる。
【０１１４】
方法（Ａ１）〜（Ａ３）では、負荷決定部２５は、複数の需要家候補の各電力需要施設における過去の抑制量の実績値に基づいて、電力需要施設の選択すなわち対象需要家の選択を行なう。
【０１１５】
より詳細には、負荷決定部２５は、各電力需要施設において過去に実際に行われた抑制量を所定時間たとえば３０分単位で集計し、この単位時間ごとに抑制量の平均値、分散値または最大値を算出する。
【０１１６】
（Ａ１）節電期間Ｂの時間帯、たとえば１３：００〜１６：００の時間帯における単位時間当たりの抑制量の平均値の総和（以下、平均総和とも称する。）を求め、平均総和が大きい電力需要施設から順に選択していき、選択したＮ件（Ｎは１以上の整数）の電力需要施設の平均総和の合計が総依頼抑制量Ｄを超えるまで電力需要施設を選択する。このように、平均総和が大きい電力需要施設から順に選択することにより、電力需要施設の選択の妥当性を高めることができる。
【０１１７】
（Ａ２）節電期間Ｂの時間帯、たとえば１３：００〜１６：００の時間帯における単位時間当たりの抑制量の分散値の総和を求め、当該総和が小さい電力需要施設から順に選択していき、選択したＮ件（Ｎは１以上の整数）の電力需要施設の平均総和の合計が総依頼抑制量Ｄを超えるまで電力需要施設を選択する。このように、分散値の総和が小さい電力需要施設から順に選択することにより、抑制量のばらつきにより各電力需要施設における抑制量の総和が総依頼抑制量Ｄを超えなくなる事態の発生を抑制することができる。
【０１１８】
（Ａ３）節電期間Ｂの時間帯、たとえば１３：００〜１６：００の時間帯における単位時間当たりの抑制量の最大値の総和を求め、当該総和が大きい電力需要施設から順に選択していき、選択したＮ件（Ｎは１以上の整数）の電力需要施設の平均総和の合計が総依頼抑制量Ｄを超えるまで電力需要施設を選択する。このように、最大値が大きい電力需要施設から順に選択することにより、選択される電力需要施設の数をより少なくすることができる。
【０１１９】
方法（Ｂ）では、負荷決定部２５は、予測に基づいて、電力需要施設の選択すなわち対象需要家の選択を行なう。
【０１２０】
より詳細には、負荷決定部２５は、たとえば、電力消費の非抑制依頼時における過去の消費電力量の実績、当該実績の得られたときの気象情報、および節電期間Ｂにおける気象予報情報に基づいて、節電期間Ｂにおける電力需要施設ごとの想定電力量Ｍを算出する。
【０１２１】
具体的には、負荷決定部２５は、たとえば、気象予報情報から電力需要施設における負荷２０５の制御内容を予測することにより、節電期間Ｂにおける電力需要施設の想定電力量Ｍを算出する。各電力需要施設の想定電力量Ｍの総和を算出することにより、想定総電力量Ｃが得られる。
【０１２２】
次に、負荷決定部２５は、たとえば、節電期間Ｂにおいて想定される負荷２０５に対する制御内容と電力需要施設における気象予報情報とに基づいて電力需要施設ごとの想定抑制量Ｋを算出する。上記制御内容は、たとえば、需要家装置２０２から取得した抑制依頼時における負荷２０５に対する制御内容から得られる。
【０１２３】
［対象負荷および制御内容の決定］
以下、負荷決定部２５が、上記方法を用いて需要家候補の中から対象需要家を選択した結果、選択した対象需要家の中にたとえば需要家ＡＡＡが含まれている状況を想定する。そして、負荷決定部２５が需要家ＡＡＡにおける対象負荷および制御内容の決定を行う場合について説明する。
【０１２４】
負荷決定部２５は、管理情報取得部２４によって取得された電力管理情報に基づいて、対象負荷２０５を決定する。
【０１２５】
具体的には、負荷決定部２５は、たとえば、電力管理情報に基づいて、記憶部２６において記憶されている対象負荷候補の中から対象負荷２０５を決定する。また、負荷決定部２５は、たとえば、電力管理情報に基づいて、対象負荷２０５の制御内容を決定する。
【０１２６】
より詳細には、負荷決定部２５は、ＤＬＣマッピングテーブルＴｂｌ１を用いて以下の処理を行う。すなわち、負荷決定部２５は、たとえば、電力管理情報に含まれる依頼電力量、電力消費の削減依頼量または削減レベルを満たすように対象負荷２０５を決定するとともに、当該対象負荷２０５に与えるべき制御内容を決定する。
【０１２７】
以下、負荷決定部２５が、電力消費の削減依頼量を満たすように対象負荷２０５を決定するとともに、当該対象負荷２０５に与えるべき制御内容を決定する場合について説明する。
【０１２８】
なお、依頼電力量、電力消費の削減依頼量または削減レベルは、予め契約により定められていてもよい。
【０１２９】
具体的には、負荷決定部２５は、たとえば、ＤＬＣマッピングテーブルＴｂｌ１を用いて、選択した需要家ＡＡＡに対応する１または複数の節電パターンの中から、削減依頼量を満たすような節電パターン（以下、対象節電パターンとも称する。）を選択する。
【０１３０】
なお、ＤＬＣマッピングテーブルＴｂｌ１には、需要家ＡＡＡに対応して１つの節電パターンが含まれていてもよい。この場合、負荷決定部２５は、たとえば当該１つの節電パターンを対象節電パターンとして選択する。
【０１３１】
たとえば、負荷決定部２５は、以下のいずれかの方法を用いて、ＤＬＣマッピングテーブルＴｂｌ１に含まれる節電パターンの中から対象節電パターンを選択する。
【０１３２】
すなわち、負荷決定部２５は、たとえば需要家ＡＡＡに対応する節電パターンのすべてを対象節電パターンとして選択する。
【０１３３】
また、たとえば、各節電パターンに予め優先度が付与されている場合、負荷決定部２５は、当該優先度に応じて節電パターンを決定する。具体的には、負荷決定部２５は、たとえば、優先度が高い節電パターンから順に選択していき、選択した節電パターンに含まれる抑制可能量の合計が削減依頼量を超えるまで節電パターンを選択する。そして、負荷決定部２５は、選択した節電パターンを対象節電パターンとして決定する。このような優先度は、たとえば需要家により付与される。
【０１３４】
また、たとえば、負荷決定部２５は、抑制可能量の大きさに応じて節電パターンを決定する。具体的には、負荷決定部２５は、抑制可能量が大きい節電パターンから順に選択していき、選択した節電パターンに含まれる抑制可能量の合計が削減依頼量を超えるまで節電パターンを選択する。そして、負荷決定部２５は、選択した節電パターンを対象節電パターンとして決定する。
【０１３５】
また、負荷決定部２５は、たとえば節電パターンの中から輪番で節電パターンを選択し、選択した節電パターンを対象節電パターンとして決定する。
【０１３６】
また、負荷決定部２５は、たとえば節電パターンの中からランダムに節電パターンを選択し、選択した節電パターンを対象節電パターンとして決定する。
【０１３７】
たとえば、負荷決定部２５は、上記の方法のうちいずれかの方法を用いて「対象負荷候補ＩＤ：ＡＡＡ−１，抑制可能量：１００Ｗ，制御内容：オフ」および「対象負荷候補ＩＤ：ＡＡＡ−４，抑制可能量：３００Ｗ，制御内容：設定値を３℃上げる」を対象節電パターンとして決定する。
【０１３８】
負荷決定部２５は、決定した対象負荷２０５を示す対象負荷情報、および決定した制御内容を示す制御情報を生成する。具体的には、負荷決定部２５は、決定した対象節電パターンから対象負荷候補ＩＤおよび制御内容を取得し、取得した対象負荷候補ＩＤを示す対象負荷情報と当該対象負荷候補に対する制御内容を示す制御情報とを含む対象負荷制御情報を生成する。
【０１３９】
対象負荷制御情報の内容は、たとえば「対象負荷ＩＤ：ＡＡＡ−１，制御内容：オフ」および「対象負荷ＩＤ：ＡＡＡ−４，制御内容：設定値を３℃上げる」である。
【０１４０】
また、負荷決定部２５は、電力管理情報からＤＲ開始タイミングおよびＤＲ期間の長さを取得し、取得したＤＲ開始タイミングおよびＤＲ期間の長さを含むＤＲ期間情報を生成する。
【０１４１】
負荷決定部２５は、たとえば記憶部２６におけるアドレス表を参照し、需要家ＡＡＡの需要家装置２０２のアドレスを取得する。負荷決定部２５は、生成した対象負荷制御情報およびＤＲ期間情報ならびに需要家ＡＡＡの需要家装置２０２のアドレスを送信部２３へ出力する。
【０１４２】
たとえば、送信部２３は、負荷決定部２５から対象負荷制御情報およびＤＲ期間情報ならびに需要家ＡＡＡの需要家装置２０２のアドレスを受けると、受けたアドレスを宛先として、対象負荷制御情報およびＤＲ期間情報を含むＤＬＣ信号を需要家ＡＡＡの需要家装置２０２へインターネット１０経由で送信する。
【０１４３】
［需要家装置］
図６は、本発明の第１の実施の形態に係る電力消費管理システムにおける需要家装置の構成を示す図である。
【０１４４】
図６を参照して、需要家装置２０２は、受信部４２と、送信部４３と、制御部４４と、記憶部４５と、カウンタ４６と、表示部４７とを備える。
【０１４５】
需要家装置２０２におけるカウンタ４６は、たとえば、水晶振動子を用いた発振回路等により生成されるクロックパルスをカウントし、カウントした値を保持する。表示部４７は、たとえばディスプレイであり、制御部４４による制御に従って、需要家に伝達すべき情報を表示する。送信部４３は、ＬＡＮ１１を介して負荷２０５と通信を行うことが可能である。
【０１４６】
受信部４２は、たとえば、電力消費の抑制対象とすべき負荷２０５である対象負荷２０５を示す対象負荷情報を受信する。また、受信部４２は、たとえば、対象負荷２０５の制御内容を示す制御情報を受信する。
【０１４７】
具体的には、受信部４２は、たとえば、電力消費管理装置１０１からＤＬＣ信号をインターネット１０経由で受信すると、受信したＤＬＣ信号から対象負荷制御情報およびＤＲ期間情報を取得し、取得した対象負荷制御情報およびＤＲ期間情報を制御部４４へ出力する。
【０１４８】
図７は、本発明の第１の実施の形態に係る需要家装置における記憶部が保持する負荷制御テーブルの一例を示す図である。
【０１４９】
図７を参照して、記憶部４５は、１または複数の負荷２０５との通信方法に関する情報を含む負荷制御テーブルＴｂｌ２を記憶する。
【０１５０】
具体的には、負荷制御テーブルＴｂｌ２には、対象負荷２０５との通信方法である接続Ｉ／Ｆ（インタフェース）および当該対象負荷２０５の制御方法が、対象負荷２０５のＩＤ（以下、対象負荷ＩＤとも称する。）ごとにまとめられている。
【０１５１】
「接続Ｉ／Ｆ」は、たとえば物理的なインタフェースを示している。接続Ｉ／Ｆには、たとえば「接点」、「Ｅｔｈｅｒｎｅｔ（登録商標）」および「ＷｉＦｉ（登録商標）」がある。
【０１５２】
「接点」は、たとえば接点信号制御を行うための接続Ｉ／Ｆである。「Ｅｔｈｅｒｎｅｔ」は、たとえばイーサネット（登録商標）規格に従ってＬＡＮ１１を介して有線のネットワーク制御を行うための接続Ｉ／Ｆである。「ＷｉＦｉ」は、たとえばＷｉＦｉ規格に従って無線ＬＡＮを介して無線のネットワーク制御を行うための接続Ｉ／Ｆである。
【０１５３】
「制御方法」は、たとえば接続Ｉ／Ｆの示す物理的なインタフェースを用いて信号または情報を負荷２０５へ送信するための信号伝達方法または情報伝達方法を示している。制御方法には、たとえば「接点信号のＯｎ／Ｏｆｆ」、「標準プロトコル」および「メーカ独自プロトコル」がある。
【０１５４】
「接点信号のＯｎ／Ｏｆｆ」は、たとえば対象負荷２０５である電気機器のスイッチをオンまたはオフするための接点信号を負荷２０５へ送信するための信号伝達方法である。
【０１５５】
「標準プロトコル」は、たとえば、対象負荷２０５を制御するための情報である制御命令を当該対象負荷２０５へ送信するための情報伝達方法であり、具体的にはＥＣＨＯＮＥＴＬｉｔｅ（登録商標）規格に従う通信プロトコル（以下、エコネットプロトコルとも称する。）である。なお、「標準プロトコル」は、エコネットプロトコルに限らず、標準規格として用いられているプロトコルであればよい。
【０１５６】
「メーカ独自プロトコル」は、たとえば、対象負荷２０５をオンまたはオフする制御を行うための情報である制御命令を、当該対象負荷２０５に対して接点信号制御を行うＬＡＮ接点変換器２０７へ送信するための情報伝達方法であり、具体的にはＬＡＮ接点変換器２０７を製造したメーカが独自に作成した規格に従う通信プロトコルである。
【０１５７】
接点信号制御は、たとえば「接点信号のＯｎ／Ｏｆｆ」の示す信号伝達方法を用いる制御である。ネットワーク制御は、たとえば、「標準プロトコル」または「メーカ独自プロトコル」の示す情報伝達方法を用いる制御である。なお、接点信号制御は、たとえば制御を行う装置と制御を受ける装置とが同じ施設に位置する場合に可能となる。
【０１５８】
ＬＡＮ接点変換器２０７は、たとえば、需要家装置２０２から制御命令を受信すると、受信した制御命令に基づいて、接点信号制御を行うことにより対象負荷２０５をオンまたはオフする。
【０１５９】
制御部４４は、受信部４２によって受信された対象負荷情報の示す対象負荷２０５を制御することにより、対象負荷２０５の電力消費を抑制する。また、制御部４４は、制御情報の示す制御内容に従って対象負荷２０５を制御する。
【０１６０】
具体的には、制御部４４は、受信部４２から対象負荷制御情報およびＤＲ期間情報を受けると、以下の処理を行う。
【０１６１】
すなわち、制御部４４は、ＤＲ期間情報からＤＲ開始タイミングおよびＤＲ期間の長さを取得し、取得したＤＲ開始タイミングおよびＤＲ期間の長さに基づいてＤＲ終了タイミングを演算する。
【０１６２】
そして、制御部４４は、たとえば、カウンタ４６のカウント値を監視し、ＤＲ開始タイミングが到来するまで待機する。制御部４４は、たとえば、カウンタ４６のカウント値からＤＲ開始タイミングが到来したことを認識すると、ＤＲ期間であることを示す画面を表示部４７に表示させる。
【０１６３】
また、制御部４４は、ＤＲ開始タイミングにおいて対象負荷２０５の制御を開始する。より詳細には、制御部４４は、対象負荷２０５との通信方法に関する情報を記憶部４５から取得し、取得した通信方法を用いて対象負荷２０５を制御する。
【０１６４】
具体的には、制御部４４は、たとえば、受信部４２から受けた対象負荷制御情報から対象負荷ＩＤおよび対応の制御内容を取得する。より詳細には、制御部４４は、たとえば「対象負荷ＩＤ：ＡＡＡ−１，制御内容：オフ」および「対象負荷ＩＤ：ＡＡＡ−４，制御内容：設定値を３℃上げる」を取得する。
【０１６５】
また、制御部４４は、たとえば、記憶部４５における負荷制御テーブルＴｂｌ２を参照する。そして、制御部４４は、たとえば、対象負荷制御情報に基づいて、対象負荷ＩＤに対応する接続Ｉ／Ｆおよび制御方法の情報を負荷制御テーブルＴｂｌ２から取得する。
【０１６６】
具体的には、制御部４４は、たとえば、「対象負荷ＩＤ：ＡＡＡ−１，制御内容：オフ」に対応する接続Ｉ／Ｆおよび制御方法としてそれぞれ「接点」および「接点信号のＯｎ／Ｏｆｆ」を取得する。
【０１６７】
また、制御部４４は、たとえば、「対象負荷ＩＤ：ＡＡＡ−４，制御内容：設定値を３℃上げる」に対応する接続Ｉ／Ｆおよび制御方法としてそれぞれ「Ｅｔｈｅｒｎｅｔ」および「標準プロトコル」を取得する。
【０１６８】
そして、制御部４４は、たとえば、ＤＲ開始タイミングにおいて、対象負荷ＩＤおよび対応の制御内容、ならびに対象負荷ＩＤに対応する接続Ｉ／Ｆおよび制御方法に基づいて、接点信号または制御命令を負荷２０５へ送信する。
【０１６９】
具体的には、制御部４４は、たとえば対象負荷ＩＤに対応する対象負荷２０５のアドレスを保持している。なお、対象負荷ＩＤが対象負荷２０５のアドレス自体であってもよい。
【０１７０】
制御部４４は、たとえば、ＤＲ開始タイミングにおいて、「対象負荷ＩＤ：ＡＡＡ−１，制御内容：オフ」と対応の「接点」および「接点信号のＯｎ／Ｏｆｆ」とに基づいて、スイッチをオフするための接点信号を「ＡＡＡ−１」の負荷２０５Ａへ送信する。これにより、負荷２０５Ａのスイッチがオフされる制御が制御部４４により開始される。
【０１７１】
また、制御部４４は、たとえば、ＤＲ開始タイミングにおいて、「対象負荷ＩＤ：ＡＡＡ−４，制御内容：設定値を３℃上げる」と対応の「Ｅｔｈｅｒｎｅｔ」および「標準プロトコル」とに基づいて、「設定値を３℃上げる」ことを示す制御命令を、イーサネット規格に従って、「ＡＡＡ−４」の負荷２０５Ｄへ送信部４３およびＬＡＮ１１経由で送信する。これにより、負荷２０５Ｄの設定温度が３℃上げられる制御が制御部４４により開始される。
【０１７２】
制御部４４は、たとえば、対象負荷制御情報に基づく対象負荷２０５の制御を行った後、たとえば、カウンタ４６のカウント値からＤＲ終了タイミングが到来したことを認識すると以下の処理を行う。
【０１７３】
すなわち、制御部４４は、たとえば、ＤＲ終了タイミングにおいて対象負荷２０５の制御を終了する。
【０１７４】
具体的には、制御部４４は、たとえば、負荷２０５Ａの制御状態をＤＲ開始タイミングより前の状態に戻すために、「対象負荷ＩＤ：ＡＡＡ−１，制御内容：オフ」と対応の「接点」および「接点信号のＯｎ／Ｏｆｆ」とに基づいて、スイッチをオンするための接点信号を「ＡＡＡ−１」の負荷２０５Ａへ送信する。
【０１７５】
また、制御部４４は、たとえば、負荷２０５Ｄの制御状態をＤＲ開始タイミングより前の状態に戻すために、「対象負荷ＩＤ：ＡＡＡ−４，制御内容：設定値を３℃上げる」と対応の「Ｅｔｈｅｒｎｅｔ」および「標準プロトコル」とに基づいて、「設定値を３℃下げる」ことを示す制御命令を、イーサネット規格に従って、「ＡＡＡ−４」の負荷２０５Ｄへ送信部４３およびＬＡＮ１１経由で送信する。
【０１７６】
ここで、たとえば、対象負荷２０５が電熱器等の熱を発生する機器である場合において、ＤＲ開始タイミングにおいて制御部４４により電熱器のスイッチがオフされた後、電熱器が転倒してしまった状況を想定する。
【０１７７】
このような状況において、ＤＲ終了タイミングにおいて制御部４４により電熱器のスイッチがオンされると、電熱器は転倒した状態において熱を発生してしまうことがある。
【０１７８】
したがって、ＤＲ終了タイミングにおいて負荷２０５の制御状態をＤＲ開始タイミングより前の状態に戻す処理は、制御部４４により行われる構成に限らず、需要家等の人手により行われる構成であってもよい。
【０１７９】
また、制御部４４は、たとえば、ＤＲ期間の終了に関する情報を出力する。具体的には、制御部４４は、たとえば、ＤＲ期間が終了したことを示す画面を表示部４７に表示させる。
【０１８０】
［動作］
図８は、本発明の第１の実施の形態に係る電力消費管理システムにおける電力消費抑制処理のシーケンスの一例を示す図である。
【０１８１】
電力消費管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１８２】
図８を参照して、まず、系統側管理装置１５１は、電力需要を予測し、電力需給が逼迫する可能性が高い場合、電力消費の抑制を行なうべきであると判断し、電力管理情報を含むＤＲ要請信号を電力消費管理装置１０１へ送信する（ステップＳ１０２）。
【０１８３】
次に、電力消費管理装置１０１は、受信したＤＲ要請信号に含まれる電力管理情報に基づいて、ＤＬＣマッピングテーブルＴｂｌ１に含まれる節電パターンの中から対象節電パターンを決定する（ステップＳ１０４）。
【０１８４】
次に、電力消費管理装置１０１は、決定した対象節電パターンに含まれる対象負荷候補ＩＤおよび対応の制御内容を含む対象負荷制御情報を生成するとともに、電力管理情報からＤＲ期間情報を生成する。そして、電力消費管理装置１０１は、生成した対象負荷制御情報およびＤＲ期間情報を含むＤＬＣ信号を需要家装置２０２へ送信する（ステップＳ１０６）。
【０１８５】
次に、需要家装置２０２は、電力消費管理装置１０１からＤＬＣ信号を受信すると、受信したＤＬＣ信号から対象負荷制御情報およびＤＲ期間情報を取得する。そして、需要家装置２０２は、取得した対象負荷制御情報、および負荷制御テーブルＴｂｌ２の内容に基づいて、対象負荷ＩＤに対応する接続Ｉ／Ｆおよび制御方法を取得する（ステップＳ１０８）。
【０１８６】
次に、需要家装置２０２は、ＤＲ期間情報からＤＲ開始タイミングを取得し、ＤＲ開始タイミングまで待機する（ステップＳ１１０）。
【０１８７】
次に、需要家装置２０２は、カウンタ４６のカウント値からＤＲ開始タイミングが到来したことを認識する（ステップＳ１１２）。
【０１８８】
次に、需要家装置２０２は、取得した対象負荷制御情報、ならびに接続Ｉ／Ｆおよび制御方法に基づいて、スイッチをオフするための接点信号を対象負荷ＩＤに対応する負荷２０５Ａへ送信する（ステップＳ１１４）。
【０１８９】
また、需要家装置２０２は、取得した対象負荷制御情報、ならびに接続Ｉ／Ｆおよび制御方法に基づいて、「設定値を３℃上げる」ことを示す制御命令を、イーサネット規格に従って、対象負荷ＩＤに対応する負荷２０５Ｄへ送信する（ステップＳ１１６）。
【０１９０】
次に、需要家装置２０２は、カウンタ４６のカウント値からＤＲ終了タイミングが到来したことを認識する（ステップＳ１１８）。
【０１９１】
次に、需要家装置２０２は、負荷２０５Ａの制御状態をＤＲ開始タイミングより前の状態に戻すために、対象負荷制御情報、ならびに接続Ｉ／Ｆおよび制御方法に基づいて、スイッチをオンするための接点信号を対象負荷ＩＤに対応する負荷２０５Ａへ送信する（ステップＳ１２０）。
【０１９２】
また、需要家装置２０２は、負荷２０５Ｄの制御状態をＤＲ開始タイミングより前の状態に戻すために、対象負荷制御情報、ならびに接続Ｉ／Ｆおよび制御方法に基づいて、「設定値を３℃下げる」ことを示す制御命令を、イーサネット規格に従って、対象負荷ＩＤに対応する負荷２０５Ｄへ送信する（ステップＳ１２２）。
【０１９３】
このように、需要家装置２０２がＤＲ期間を管理する構成により、ＤＲ期間の管理処理の負担を需要家装置２０２に分散することができる。
【０１９４】
［変形例１］
図９は、本発明の第１の実施の形態に係る電力消費管理システムにおける電力消費管理装置の変形例の構成を示す図である。
【０１９５】
図９を参照して、電力消費管理装置１０１の変形例である電力消費管理装置１１１は、図３に示す電力消費管理装置１０１と比べて、さらに、カウンタ２７を備える。
【０１９６】
電力消費管理装置１１１における受信部２２、送信部２３、管理情報取得部２４、負荷決定部２５および記憶部２６の動作は、図３に示す電力消費管理装置１０１における受信部２２、送信部２３、管理情報取得部２４、負荷決定部２５および記憶部２６とそれぞれ同様である。カウンタ２７の動作は、図６に示す需要家装置２０２におけるカウンタ４６と同様である。
【０１９７】
図１０は、本発明の第１の実施の形態に係る電力消費管理システムにおける需要家装置の変形例の構成を示す図である。
【０１９８】
図１０を参照して、需要家装置２０２の変形例である需要家装置２１２は、図６に示す需要家装置２０２と比べて、カウンタ４６を備えない。
【０１９９】
需要家装置２１２における受信部４２、送信部４３、制御部４４、記憶部４５および表示部４７の動作は、図６に示す需要家装置２０２における受信部４２、送信部４３、制御部４４、記憶部４５および表示部４７とそれぞれ同様である。
【０２００】
再び図９を参照して、負荷決定部２５は、たとえば、管理情報取得部２４から電力管理情報を受けると、ＤＬＣマッピングテーブルＴｂｌ１に含まれる節電パターンの中から対象節電パターンを決定する。
【０２０１】
負荷決定部２５は、決定した対象節電パターンから対象負荷候補ＩＤおよび制御内容を取得し、取得した対象負荷候補を示す対象負荷情報と当該対象負荷候補に対する制御内容を示す制御情報とを含む対象負荷制御情報を生成する。
【０２０２】
また、負荷決定部２５は、電力管理情報からＤＲ開始タイミングおよびＤＲ期間の長さを取得し、取得したＤＲ開始タイミングおよびＤＲ期間の長さに基づいてＤＲ終了タイミングを演算する。そして、負荷決定部２５は、たとえば、カウンタ２７のカウント値を監視し、ＤＲ開始タイミングが到来するまで待機する。
【０２０３】
負荷決定部２５は、たとえば、カウンタ２７のカウント値からＤＲ開始タイミングが到来したことを認識すると、生成した対象負荷制御情報、および需要家ＡＡＡの需要家装置２０２のアドレスを送信部２３へ出力する。
【０２０４】
たとえば、送信部２３は、負荷決定部２５から対象負荷制御情報および需要家ＡＡＡの需要家装置２０２のアドレスを受けると、受けたアドレスを宛先として、対象負荷制御情報を含むＤＬＣ信号を需要家ＡＡＡの需要家装置２１２へインターネット１０経由で送信する。
【０２０５】
また、負荷決定部２５は、たとえば、対象負荷制御情報およびアドレスを送信部２３へ出力した後、カウンタ２７のカウント値からＤＲ終了タイミングが到来したことを認識すると、節電の解除を示す解除命令および需要家ＡＡＡの需要家装置２１２のアドレスを送信部２３へ出力する。
【０２０６】
たとえば、送信部２３は、負荷決定部２５から解除命令および需要家ＡＡＡの需要家装置２１２のアドレスを受けると、受けたアドレスを宛先として、解除命令を含む解除信号を需要家ＡＡＡの需要家装置２１２へインターネット１０経由で送信する。
【０２０７】
再び図１０を参照して、需要家装置２１２は、たとえば、電力消費管理装置１１１からＤＬＣ信号をインターネット１０経由で受信するまで待機している。
【０２０８】
受信部４２は、たとえば、電力消費管理装置１１１からＤＬＣ信号をインターネット１０経由で受信すると、受信したＤＬＣ信号から対象負荷制御情報を取得し、取得した対象負荷制御情報を制御部４４へ出力する。
【０２０９】
制御部４４は、たとえば、受信部４２から対象負荷制御情報を受けると、ＤＲ期間であることを示す画面を表示部４７に表示させる。
【０２１０】
そして、制御部４４は、たとえば、受信部４２から受けた対象負荷制御情報から対象負荷ＩＤおよび対応の制御内容を取得する。
【０２１１】
また、制御部４４は、たとえば、記憶部４５における負荷制御テーブルＴｂｌ２を参照する。そして、制御部４４は、たとえば、対象負荷制御情報に基づいて、対象負荷ＩＤに対応する接続Ｉ／Ｆおよび制御方法を取得する。
【０２１２】
そして、制御部４４は、たとえば、対象負荷ＩＤおよび対応の制御内容、ならびに対象負荷ＩＤに対応する接続Ｉ／Ｆおよび制御方法に基づいて、接点信号または制御命令を負荷２０５へ送信する。
【０２１３】
また、受信部４２は、たとえば、電力消費管理装置１１１から解除信号をインターネット１０経由で受信すると、受信した解除信号から解除命令を取得し、取得した解除命令を制御部４４へ出力する。
【０２１４】
制御部４４は、たとえば、受信部４２から解除命令を受けると、対象負荷２０５の制御を終了する。また、制御部４４は、たとえばＤＲ期間の終了に関する情報を出力する、具体的には、ＤＲ期間が終了したことを示す画面を表示部４７に表示させる。
【０２１５】
なお、ＤＲ終了タイミングにおいて負荷２０５の制御状態をＤＲ開始タイミングより前の状態に戻す処理は、制御部４４により行われる構成に限らず、需要家等の人手により行われる構成であってもよい。
【０２１６】
［変形例１の動作］
図１１は、本発明の第１の実施の形態に係る電力消費管理システムにおける電力消費抑制処理のシーケンスの他の例を示す図である。
【０２１７】
図１１を参照して、まず、系統側管理装置１５１は、電力需要を予測し、電力需給が逼迫する可能性が高い場合、電力消費の抑制を行なうべきであると判断し、電力管理情報を含むＤＲ要請信号を電力消費管理装置１１１へ送信する（ステップＳ１５２）。
【０２１８】
次に、電力消費管理装置１１１は、受信したＤＲ要請信号に含まれる電力管理情報に基づいて、ＤＬＣマッピングテーブルＴｂｌ１に含まれる節電パターンの中から対象節電パターンを決定する（ステップＳ１５４）。
【０２１９】
次に、電力消費管理装置１１１は、決定した対象節電パターンに含まれる対象負荷候補ＩＤおよび対応の制御内容を含む対象負荷制御情報を生成するとともに、以下の処理を行う。すなわち、電力消費管理装置１１１は、電力管理情報からＤＲ開始タイミングおよびＤＲ期間の長さを取得し、取得したＤＲ開始タイミングおよびＤＲ期間の長さに基づいてＤＲ終了タイミングを演算する。そして、電力消費管理装置１１１は、ＤＲ開始タイミングまで待機する（ステップＳ１５６）。
【０２２０】
次に、電力消費管理装置１１１は、カウンタ２７のカウント値からＤＲ開始タイミングが到来したことを認識する（ステップＳ１５８）。
【０２２１】
次に、電力消費管理装置１１１は、生成した対象負荷制御情報を含むＤＬＣ信号を需要家装置２１２へ送信する（ステップＳ１６０）。
【０２２２】
次に、需要家装置２１２は、電力消費管理装置１１１からＤＬＣ信号を受信すると、受信したＤＬＣ信号から対象負荷制御情報を取得する。そして、需要家装置２１２は、取得した対象負荷制御情報、および負荷制御テーブルＴｂｌ２の内容に基づいて、対象負荷ＩＤに対応する接続Ｉ／Ｆおよび制御方法を取得する（ステップＳ１６２）。
【０２２３】
次に、需要家装置２１２は、取得した対象負荷制御情報、ならびに接続Ｉ／Ｆおよび制御方法に基づいて、スイッチをオフするための接点信号を対象負荷ＩＤに対応する負荷２０５Ａへ送信する（ステップＳ１６４）。
【０２２４】
また、需要家装置２１２は、取得した対象負荷制御情報、接続Ｉ／Ｆおよび制御方法に基づいて、「設定値を３℃上げる」ことを示す制御命令を、イーサネット規格に従って、対象負荷ＩＤに対応する負荷２０５Ｄへ送信する（ステップＳ１６６）。
【０２２５】
次に、電力消費管理装置１１１は、カウンタ２７のカウント値からＤＲ終了タイミングが到来したことを認識する（ステップＳ１６８）。
【０２２６】
次に、電力消費管理装置１１１は、解除命令を含む解除信号を需要家装置２１２へ送信する（ステップＳ１７０）。
【０２２７】
次に、需要家装置２１２は、電力消費管理装置１１１から解除信号を受信すると、受信した解除信号から解除命令を取得し、取得した解除命令に基づいて以下の処理を行う。すなわち、需要家装置２１２は、負荷２０５Ａの制御状態をＤＲ開始タイミングより前の状態に戻すために、対象負荷制御情報、ならびに接続Ｉ／Ｆおよび制御方法に基づいて、スイッチをオンするための接点信号を対象負荷ＩＤに対応する負荷２０５Ａへ送信する（ステップＳ１７２）。
【０２２８】
また、需要家装置２１２は、負荷２０５Ｄの制御状態をＤＲ開始タイミングより前の状態に戻すために、対象負荷制御情報、ならびに接続Ｉ／Ｆおよび制御方法に基づいて、「設定値を３℃下げる」ことを示す制御命令を、イーサネット規格に従って、対象負荷ＩＤに対応する負荷２０５Ｄへ送信する（ステップＳ１７４）。
【０２２９】
このように、電力消費管理装置１１１がＤＲ期間を管理する構成により、需要家装置２１２におけるカウンタ４６等のＤＲ期間を管理するための構成を不要にすることができるので、需要家装置２１２のコストダウンを図ることができる。また、ＤＬＣ信号に含める情報量を削減することができるので、通信回線における情報伝送の負担を軽減することができる。
【０２３０】
［変形例２］
本発明の第１の実施の形態に係る電力消費管理システムの変形例２は、図３に示す電力消費管理装置１０１と、図６に示す需要家装置２０２の変形例である需要家装置２２２とを備える。
【０２３１】
図１２は、本発明の第１の実施の形態に係る電力消費管理システムの変形例における需要家装置の変形例の構成を示す図である。
【０２３２】
図１２を参照して、変形例２に係る電力消費管理システムでは、需要家装置２２２は、図６に示す需要家装置２０２と比べて、カウンタ４６を備えない。
【０２３３】
需要家装置２１２における受信部４２、送信部４３、制御部４４、記憶部４５および表示部４７の動作は、図６に示す需要家装置２０２における受信部４２、送信部４３、制御部４４、記憶部４５および表示部４７とそれぞれ同様である。
【０２３４】
需要家装置２２２における制御部４４は、受信部４２によって受信された対象負荷情報の示す対象負荷２０５を制御することにより、対象負荷２０５の電力消費を抑制する。また、制御部４４は、制御情報の示す制御内容に従って対象負荷２０５を制御する。
【０２３５】
また、制御部４４は、対象負荷２０５との通信方法に関する情報を記憶部４５から取得し、取得した通信方法を用いて対象負荷２０５を制御する。
【０２３６】
具体的には、制御部４４は、受信部４２から対象負荷制御情報およびＤＲ期間情報を受けると、以下の処理を行う。
【０２３７】
すなわち、制御部４４は、たとえば、対象負荷制御情報から対象負荷ＩＤおよび対応の制御内容を取得する。ここでは、制御部４４は、たとえば「対象負荷ＩＤ：ＡＡＡ−２，制御内容：オフ」および「対象負荷ＩＤ：ＡＡＡ−４，制御内容：設定値を３℃上げる」を取得する。
【０２３８】
また、制御部４４は、たとえば、記憶部４５における負荷制御テーブルＴｂｌ２を参照する。そして、制御部４４は、たとえば、対象負荷制御情報に基づいて、対象負荷ＩＤに対応する接続Ｉ／Ｆおよび制御方法の情報を負荷制御テーブルＴｂｌ２から取得する。
【０２３９】
具体的には、制御部４４は、たとえば、「対象負荷ＩＤ：ＡＡＡ−２，制御内容：オフ」に対応する接続Ｉ／Ｆおよび制御方法としてそれぞれ「Ｅｔｈｅｒｎｅｔ」および「メーカ独自プロトコル」を取得する。
【０２４０】
また、制御部４４は、たとえば、「対象負荷ＩＤ：ＡＡＡ−４，制御内容：設定値を３℃上げる」に対応する接続Ｉ／Ｆおよび制御方法としてそれぞれ「Ｅｔｈｅｒｎｅｔ」および「標準プロトコル」を取得する。
【０２４１】
そして、制御部４４は、たとえば、対象負荷ＩＤおよび対応の制御内容、ならびに対象負荷ＩＤに対応する接続Ｉ／Ｆおよび制御方法に基づいて、制御命令を負荷２０５へ送信する。
【０２４２】
具体的には、制御部４４は、たとえば、「対象負荷ＩＤ：ＡＡＡ−２」に対応する対象負荷制御情報である「対象負荷ＩＤ：ＡＡＡ−２，制御内容：オフ」、およびＤＲ期間情報を含む情報を制御命令Ａ２として生成する。
【０２４３】
そして、制御部４４は、たとえば、「対象負荷ＩＤ：ＡＡＡ−２」に対応する「Ｅｔｈｅｒｎｅｔ」および「メーカ独自プロトコル」に基づいて、生成した制御命令Ａ２をイーサネット規格に従って、対象負荷ＩＤに対応する負荷２０５Ｂに対して接点信号制御を行うＬＡＮ接点変換器２０７へ送信する。
【０２４４】
また、制御部４４は、たとえば、「対象負荷ＩＤ：ＡＡＡ−４」に対応する対象負荷制御情報である「対象負荷ＩＤ：ＡＡＡ−４，制御内容：設定値を３℃上げる」、およびＤＲ期間情報を含む情報を制御命令Ａ４として生成する。
【０２４５】
そして、制御部４４は、たとえば、「対象負荷ＩＤ：ＡＡＡ−４」に対応する「Ｅｔｈｅｒｎｅｔ」および「標準プロトコル」に基づいて、生成した制御命令Ａ４をイーサネット規格に従って、対象負荷ＩＤに対応する負荷２０５Ｄへ送信する。
【０２４６】
［ＬＡＮ接点変換器２０７］
図１３は、本発明の第１の実施の形態に係る電力消費管理システムの変形例におけるＬＡＮ接点変換器の構成を示す図である。
【０２４７】
図１３を参照して、変形例２に係る電力消費管理システムでは、ＬＡＮ接点変換器２０７は、カウンタ６１と、制御部６２と、受信部６３とを含む。カウンタ６１の動作は、図６に示す需要家装置２０２におけるカウンタ４６と同様である。
【０２４８】
ＬＡＮ接点変換器２０７における受信部６３は、需要家装置２２２から制御命令Ａ２を受信すると、受信した制御命令Ａ２を制御部６２へ出力する。
【０２４９】
制御部６２は、受信部６３から制御命令Ａ２を受けると、受けた制御命令Ａ２から対象負荷制御情報およびＤＲ期間情報を取得する。
【０２５０】
制御部６２は、ＤＲ期間情報からＤＲ開始タイミングおよびＤＲ期間の長さを取得し、取得したＤＲ開始タイミングおよびＤＲ期間の長さに基づいてＤＲ終了タイミングを演算する。
【０２５１】
そして、制御部６２は、たとえば、カウンタ６１のカウント値を監視し、ＤＲ開始タイミングが到来するまで待機する。制御部６２は、たとえば、カウンタ６１のカウント値からＤＲ開始タイミングが到来したことを認識すると、対象負荷２０５の制御を開始する。
【０２５２】
より詳細には、制御部６２は、対象負荷制御情報が示す「対象負荷ＩＤ：ＡＡＡ−２，制御内容：オフ」に基づいて、スイッチをオフするための接点信号を対象負荷ＩＤに対応する負荷２０５Ｂへ送信する。これにより、負荷２０５Ｂのスイッチをオフする制御が制御部６２により開始される。
【０２５３】
制御部６２は、たとえば、対象負荷制御情報に基づく対象負荷２０５Ｂの制御を行った後、たとえば、カウンタ６１のカウント値からＤＲ終了タイミングが到来したことを認識すると以下の処理を行う。
【０２５４】
すなわち、制御部６２は、たとえば、ＤＲ終了タイミングにおいて対象負荷２０５Ｂの制御を終了する。
【０２５５】
具体的には、制御部６２は、たとえば、負荷２０５Ｂの制御状態をＤＲ開始タイミングより前の状態に戻すために、対象負荷制御情報が示す「対象負荷ＩＤ：ＡＡＡ−２，制御内容：オフ」に基づいて、スイッチをオンするための接点信号を対象負荷ＩＤに対応する負荷２０５Ｂへ送信する。
【０２５６】
［負荷２０５Ｄ］
図１４は、本発明の第１の実施の形態に係る電力消費管理システムの変形例における負荷の構成を示す図である。
【０２５７】
図１４を参照して、変形例２に係る電力消費管理システムでは、負荷２０５Ｄは、カウンタ７１と、制御部７２、受信部７３とを含む。カウンタ７１の動作は、図６に示す需要家装置２０２におけるカウンタ４６と同様である。
【０２５８】
負荷２０５Ｄにおける受信部７３は、需要家装置２２２から制御命令Ａ４を受信すると、受信した制御命令Ａ４を制御部７２へ出力する。
【０２５９】
制御部７２は、受信部７３から制御命令Ａ４を受けると、受けた制御命令Ａ４から対象負荷制御情報およびＤＲ期間情報を取得する。
【０２６０】
制御部７２は、ＤＲ期間情報からＤＲ開始タイミングおよびＤＲ期間の長さを取得し、取得したＤＲ開始タイミングおよびＤＲ期間の長さに基づいてＤＲ終了タイミングを演算する。
【０２６１】
そして、制御部７２は、たとえば、カウンタ７１のカウント値を監視し、ＤＲ開始タイミングが到来するまで待機する。制御部７２は、たとえば、カウンタ７１のカウント値からＤＲ開始タイミングが到来したことを認識すると、自己の負荷２０５Ｄの制御を開始する。
【０２６２】
より詳細には、制御部７２は、対象負荷制御情報が示す「対象負荷ＩＤ：ＡＡＡ−４，制御内容：設定値を３℃上げる」に基づいて、自己の負荷２０５Ｄの設定値を３℃上げる処理を行うことで、自己の電力消費を抑制する制御を開始する。
【０２６３】
制御部７２は、たとえば、対象負荷制御情報に基づく自己の負荷２０５Ｄの制御を行った後、たとえば、カウンタ７１のカウント値からＤＲ終了タイミングが到来したことを認識すると以下の処理を行う。
【０２６４】
すなわち、制御部７２は、たとえば、ＤＲ終了タイミングにおいて自己の負荷２０５Ｄの制御を終了する。
【０２６５】
具体的には、制御部７２は、たとえば、自己の負荷２０５Ｄの制御状態をＤＲ開始タイミングより前の状態に戻すために、対象負荷制御情報が示す「対象負荷ＩＤ：ＡＡＡ−４，制御内容：設定値を３℃上げる」に基づいて、自己の負荷２０５Ｄの設定値を３℃下げる処理を行うことで、自己の電力消費を抑制する制御を終了する。
【０２６６】
［変形例２の動作］
図１５は、本発明の第１の実施の形態に係る電力消費管理システムにおける電力消費抑制処理のシーケンスの他の例を示す図である。
【０２６７】
図１５を参照して、まず、系統側管理装置１５１は、電力需要を予測し、電力需給が逼迫する可能性が高い場合、電力消費の抑制を行なうべきであると判断し、電力管理情報を含むＤＲ要請信号を電力消費管理装置１０１へ送信する（ステップＳ５０２）。
【０２６８】
次に、電力消費管理装置１０１は、受信したＤＲ要請信号に含まれる電力管理情報に基づいて、ＤＬＣマッピングテーブルＴｂｌ１に含まれる節電パターンの中から対象節電パターンを決定する（ステップＳ５０４）。
【０２６９】
次に、電力消費管理装置１０１は、決定した対象節電パターンに含まれる対象負荷候補ＩＤおよび対応の制御内容を含む対象負荷制御情報を生成するとともに、電力管理情報からＤＲ期間情報を生成する。そして、電力消費管理装置１０１は、生成した対象負荷制御情報およびＤＲ期間情報を含むＤＬＣ信号を需要家装置２２２へ送信する（ステップＳ５０６）。
【０２７０】
次に、需要家装置２２２は、電力消費管理装置１０１からＤＬＣ信号を受信すると、受信したＤＬＣ信号から対象負荷制御情報およびＤＲ期間情報を取得する。そして、需要家装置２２２は、取得した対象負荷制御情報、および負荷制御テーブルＴｂｌ２の内容に基づいて、対象負荷ＩＤに対応する接続Ｉ／Ｆおよび制御方法を取得する（ステップＳ５０８）。
【０２７１】
次に、需要家装置２２２は、対象負荷制御情報およびＤＲ期間情報から制御命令Ａ２を生成し、「対象負荷ＩＤ：ＡＡＡ−２」に対応する接続Ｉ／Ｆおよび制御方法に基づいて、生成した制御命令Ａ２をイーサネット規格に従って、対象負荷ＩＤに対応する負荷２０５Ｂに対して接点信号制御を行うＬＡＮ接点変換器２０７へ送信する（ステップＳ５１０）。
【０２７２】
また、需要家装置２２２は、対象負荷制御情報およびＤＲ期間情報から制御命令Ａ４を生成し、「対象負荷ＩＤ：ＡＡＡ−４」に対応する接続Ｉ／Ｆおよび制御方法に基づいて、生成した制御命令Ａ４をイーサネット規格に従って、対象負荷ＩＤに対応する負荷２０５Ｄへ送信する（ステップＳ５１２）。
【０２７３】
次に、ＬＡＮ接点変換器２０７は、需要家装置２２２から制御命令Ａ２を受信すると、受信した制御命令Ａ２から対象負荷制御情報およびＤＲ期間情報を取得する。そして、ＬＡＮ接点変換器２０７は、ＤＲ期間情報からＤＲ開始タイミングを取得し、ＤＲ開始タイミングまで待機する（ステップＳ５１４）。
【０２７４】
また、負荷２０５Ｄは、需要家装置２２２から制御命令Ａ４を受信すると、受信した制御命令Ａ４から対象負荷制御情報およびＤＲ期間情報を取得する。そして、負荷２０５Ｄは、ＤＲ期間情報からＤＲ開始タイミングを取得し、ＤＲ開始タイミングまで待機する（ステップＳ５１６）。
【０２７５】
次に、ＬＡＮ接点変換器２０７は、カウンタ６１のカウント値からＤＲ開始タイミングが到来したことを認識する（ステップＳ５１８）。
【０２７６】
また、負荷２０５Ｄは、カウンタ７１のカウント値からＤＲ開始タイミングが到来したことを認識する（ステップＳ５２０）。
【０２７７】
次に、ＬＡＮ接点変換器２０７は、取得した対象負荷制御情報に基づいて、スイッチをオフするための接点信号を対象負荷ＩＤに対応する負荷２０５Ｂへ送信する（ステップＳ５２２）。
【０２７８】
また、負荷２０５Ｄは、取得した対象負荷制御情報に基づいて、自己の設定値を３℃上げる処理を行うことで、自己の電力消費を抑制する制御を開始する（ステップＳ５２４）。
【０２７９】
次に、ＬＡＮ接点変換器２０７は、カウンタ６１のカウント値からＤＲ終了タイミングが到来したことを認識する（ステップＳ５２６）。
【０２８０】
また、負荷２０５Ｄは、カウンタ７１のカウント値からＤＲ終了タイミングが到来したことを認識する（ステップＳ５２８）。
【０２８１】
次に、ＬＡＮ接点変換器２０７は、負荷２０５Ｂの制御状態をＤＲ開始タイミングより前の状態に戻すために、対象負荷制御情報に基づいて、スイッチをオンするための接点信号を対象負荷ＩＤに対応する負荷２０５Ｂへ送信する（ステップＳ５３０）。
【０２８２】
また、負荷２０５Ｄは、自己の制御状態をＤＲ開始タイミングより前の状態に戻すために、対象負荷制御情報に基づいて、自己の設定値を３℃下げる処理を行うことで、自己の電力消費を抑制する制御を終了する（ステップＳ５３２）。
【０２８３】
このように、対象負荷２０５がＤＲ期間を管理する構成により、ＤＲ期間の管理処理の負担を対象負荷２０５に分散することができる。
【０２８４】
なお、本発明の第１の実施の形態に係る電力消費管理装置は、対象負荷情報および制御情報を需要家装置２０２へ送信する構成であるとしたが、これに限定するものではない。電力消費管理装置１０１は、制御情報を需要家装置２０２へ送信しない構成であってもよい。この場合、対象負荷２０５の制御内容は、たとえば需要家装置２０２により決定される。
【０２８５】
ところで、節電要請の対象期間において当該節電要請に従った電力消費の抑制が需要家の電力需要施設において行われない場合がある。このような場合、十分な節電が行われなくなり、電力需給が逼迫してしまうことがある。
【０２８６】
これに対して、本発明の第１の実施の形態に係る需要家装置は、電力需要施設における１または複数の負荷２０５を制御可能である。受信部４２は、電力消費の抑制対象とすべき負荷２０５である対象負荷２０５を示す対象負荷情報を受信する。制御部４４は、受信部４２によって受信された対象負荷情報の示す対象負荷２０５を制御することにより、対象負荷２０５の電力消費を抑制する。
【０２８７】
このように、たとえば、アグリゲータ側の装置から受信した対象負荷情報の示す対象負荷２０５を制御する構成により、アグリゲータ側の装置は、需要家の電力需要施設における対象負荷２０５を指定することができるので、需要家の電力需要施設における電力消費の抑制をより確実に行わせることができる。これにより、電力需給が逼迫してしまう状況をより確実に回避することができる。また、需要家装置２０２は対象負荷情報に従って対象負荷２０５を制御する構成であればよいので、需要家装置２０２の構成を簡素化することができる。
【０２８８】
ここで、需要家装置２０２が主体的に負荷２０５を制御する代わりに、たとえば、電力消費管理装置１０１が、遠隔から主体的に負荷２０５を制御する場合、負荷２０５が電力消費管理装置１０１と通信可能な構成である必要がある。
【０２８９】
具体的には、負荷２０５を制御する方法として、たとえば、接点信号制御、ネットワーク制御およびリモコン制御を用いる方法が考えられる。
【０２９０】
より詳細には、接点信号制御は、制御を行う装置と制御を受ける装置とが同じ電力需要施設に位置する場合に可能となる。したがって、たとえば、電力需要施設から遠隔の場所に設置された電力消費管理装置１０１が、接点信号を用いて当該電力需要施設に設けられている負荷２０５を主体的に制御することは困難である。
【０２９１】
また、電力需要施設における負荷２０５はエコネットプロトコルをサポートしている場合が多いので、エコネットプロトコルは、電力需要施設における需要家装置２０２および負荷２０５間における通信に用いられる。
【０２９２】
一方、電力消費管理装置１０１がサポートしている通信プロトコルは、エコネットプロトコルと異なる通信プロトコルである場合が多い。すなわち、電力消費管理装置１０１と負荷２０５とが通信を行うための標準のプロトコルが存在しないため、電力消費管理装置１０１が、ネットワーク制御により遠隔から主体的に負荷２０５を制御することは困難である。
【０２９３】
また、リモコン制御は、たとえば、赤外線または電波を用いる制御である。たとえば、電力需要施設から遠隔の場所に設置された電力消費管理装置１０１が赤外線または電波を送信しても、送信された赤外線または電波を当該電力需要施設に設けられている負荷２０５まで到達させることが困難である場合が多い。したがって、電力消費管理装置１０１がリモコン制御により遠隔から主体的に負荷２０５を制御することは困難である。
【０２９４】
すなわち、接点信号制御、ネットワーク制御およびリモコン制御は、電力需要施設の近傍の限定された領域において負荷２０５を制御可能な方法であるため、電力消費管理装置１０１がリモコン制御により遠隔から主体的に負荷２０５を制御することは困難である。
【０２９５】
これに対して、本発明の第１の実施の形態に係る需要家装置では、アグリゲータ側の装置から受信した対象負荷情報の示す対象負荷２０５を制御する構成により、電力消費管理装置１０１が遠隔から主体的に負荷２０５を制御することができる。
【０２９６】
また、本発明の第１の実施の形態に係る需要家装置では、受信部４２は、さらに、対象負荷２０５の制御内容を示す制御情報を受信する。制御部４４は、制御情報の示す制御内容に従って対象負荷２０５を制御する。
【０２９７】
このように、たとえば、アグリゲータ側の装置から受信した制御情報の示す内容の制御を対象負荷２０５に対して行う構成により、アグリゲータ側の装置は、電力需要施設における対象負荷２０５の制御内容を指定することができるので、需要家の電力需要施設における電力消費の抑制をより確実に行わせることができる。また、需要家装置２０２は制御情報に従って対象負荷２０５を制御する構成であればよいので、需要家装置２０２の構成を簡素化することができる。また、たとえば、アグリゲータ側の装置において対象負荷２０５に対する制御のバリエーションを増やすことができる。これにより、対象負荷２０５の制御を繊細に行うことができるので、電力消費の抑制量をより細かく調整することができる。また、対象負荷２０５の種類に応じた制御を行うことができるので、需要家の電力需要施設における節電の弊害を緩和することができる。具体的には、たとえば空調装置に対しては、オフする制御の代わりに設定値を変更する制御を行うことで、電力消費を抑制しながら居住環境の不快さの程度を緩和することができる。
【０２９８】
また、本発明の第１の実施の形態に係る需要家装置では、記憶部４５は、１または複数の負荷２０５との通信方法に関する情報を記憶する。制御部４４は、対象負荷２０５との通信方法に関する情報を記憶部４５から取得し、取得した通信方法を用いて対象負荷２０５を制御する。
【０２９９】
このような構成により、たとえば、アグリゲータ側の装置が対象負荷２０５と直接通信することができない場合においても、アグリゲータ側の装置は、需要家装置２０２を介して対象負荷２０５と通信を行うことができるので、当該対象負荷２０５を容易に制御することができる。
【０３００】
また、本発明の第１の実施の形態に係る需要家装置では、制御部４４は、電力消費の抑制の対象期間であるＤＲ期間の開始タイミングにおいて対象負荷２０５の制御を開始する。そして、制御部４４は、ＤＲ期間の終了タイミングにおいて対象負荷２０５の制御を終了するか、またはＤＲ期間の終了に関する情報を出力する。
【０３０１】
このような構成により、対象負荷２０５の制御をＤＲ期間の開始タイミングより前の状態に自動で戻すことができるので、需要家の負担を軽減することができる。また、対象負荷２０５の電力消費を抑制する制御が終了したことを通知することができる。
【０３０２】
また、本発明の第１の実施の形態に係る電力消費管理装置は、電力需要施設における電力消費を管理する。管理情報取得部２４は、電力系統側から電力消費に関する電力管理情報を取得する。負荷決定部２５は、管理情報取得部２４によって取得された電力管理情報に基づいて、電力消費の抑制対象とすべき負荷である対象負荷２０５を決定する。そして、送信部２３は、負荷決定部２５によって決定された対象負荷２０５を示す対象負荷情報を需要家装置２０２へ送信する。
【０３０３】
このような構成により、需要家の電力需要施設における対象負荷２０５を電力消費管理装置１０１において指定することができるので、需要家の電力需要施設における電力消費の抑制をより確実に行わせることができる。これにより、電力需給が逼迫してしまう状況を回避することができる。
【０３０４】
また、本発明の第１の実施の形態に係る電力消費管理装置では、記憶部２６は、対象負荷２０５の候補に関する情報を記憶する。そして、負荷決定部２５は、電力管理情報に基づいて記憶部２６における対象負荷２０５の候補の中から対象負荷２０５を決定する。
【０３０５】
このような構成により、たとえば複数の電力需要施設における対象負荷２０５の候補の中から対象負荷２０５をそれぞれ指定することができるので、電力消費管理システム３０１全体として最適な電力消費の抑制を行うことができる。また、対象負荷２０５の候補をたとえば需要家により電力消費管理装置１０１に設定することができるので、対象負荷２０５の候補を、電力消費を抑制する制御を需要家が容認できる負荷２０５に限定することができる。これにより、節電要請の対象期間における需要家の電力需要施設における不便さを軽減することができる。
【０３０６】
また、本発明の第１の実施の形態に係る電力消費管理装置では、負荷決定部２５は、さらに、電力管理情報に基づいて、対象負荷２０５の制御内容を決定する。そして、送信部２３は、さらに、負荷決定部２５によって決定された制御内容を示す制御情報を需要家装置２０２へ送信する。
【０３０７】
このような構成により、電力需要施設における対象負荷２０５の制御内容を指定することができるので、需要家の電力需要施設における電力消費の抑制をより確実に行わせることができる。また、たとえば複数の電力需要施設における対象負荷２０５の制御内容をそれぞれ指定することができるので、電力消費管理システム３０１全体としてより最適な電力消費の抑制を行うことができる。また、たとえば、アグリゲータ側の装置において対象負荷２０５に対する制御のバリエーションを増やすことができる。これにより、対象負荷２０５の制御を繊細に行うことができるので、電力消費の抑制量をより細かく調整することができる。また、対象負荷２０５の種類に応じた制御を行うことができるので、需要家の電力需要施設における節電の弊害を緩和することができる。具体的には、たとえば空調装置に対しては、オフする制御の代わりに設定値を変更する制御を行うことで、電力消費を抑制しながら居住環境の不快さの程度を緩和することができる。
【０３０８】
また、本発明の第１の実施の形態に係る電力消費管理システムでは、電力消費管理装置１０１は、電力消費の抑制対象とすべき負荷２０５である対象負荷２０５を示す対象負荷情報を需要家装置２０２へ送信する。そして、需要家装置２０２は、対象負荷情報を電力消費管理装置１０１から受信し、受信した対象負荷情報の示す対象負荷２０５を制御することにより、対象負荷の電力消費を抑制する。
【０３０９】
このように、電力消費管理装置１０１から送信される対象負荷情報の示す対象負荷２０５を需要家装置２０２が制御する構成により、電力消費管理装置１０１は、需要家の電力需要施設における対象負荷２０５を指定することができるので、需要家の電力需要施設における電力消費の抑制をより確実に行わせることができる。これにより、電力需給が逼迫してしまう状況を回避することができる。また、需要家装置２０２は対象負荷情報に従って対象負荷２０５を制御する構成であればよいので、需要家装置２０２の構成を簡素化することができる。
【０３１０】
次に、本発明の他の実施の形態について図面を用いて説明する。なお、図中同一または相当部分には同一符号を付してその説明は繰り返さない。
【０３１１】
＜第２の実施の形態＞
本実施の形態は、第１の実施の形態に係る電力消費管理システムと比べて負荷に関する情報を更新する電力消費管理システムに関する。以下で説明する内容以外は第１の実施の形態に係る電力消費管理システムと同様である。
【０３１２】
図１６は、本発明の第２の実施の形態に係る電力消費管理システムにおける需要家装置の構成を示す図である。
【０３１３】
図１６を参照して、需要家装置２０２は、本発明の第１の実施の形態に係る需要家装置と比べて、さらに、更新部４８と、負荷情報受け付け部４９とを備える。
【０３１４】
図１７は、本発明の第２の実施の形態に係る電力消費管理システムにおける電力消費管理装置の構成を示す図である。
【０３１５】
図１７を参照して、電力消費管理装置１０１は、本発明の第１の実施の形態に係る電力消費管理装置と比べて、さらに、更新部２８を備える。
【０３１６】
［新たな負荷２０５の登録］
再び図１６を参照して、需要家装置２０２における負荷情報受け付け部４９は、たとえばディスプレイの表示画面に組合せて設けられるタッチパネル、またはキーボードであり、需要家の操作を受け付ける。
【０３１７】
需要家は、たとえば、電力需要施設において節電制御の対象にしようとする新たな負荷２０５があるときは、当該新たな負荷２０５について、以下の内容を登録する。
【０３１８】
すなわち、需要家は、たとえば、負荷情報受け付け部４９を操作して当該新たな負荷２０５のＩＤ（以下、新規負荷ＩＤとも称する。）、抑制可能量、制御内容、制御Ｉ／Ｆおよび制御方法を入力する。
【０３１９】
負荷情報受け付け部４９は、たとえば、需要家の操作を受け付け、受け付けた操作の内容に基づく入力情報を作成し、作成した入力情報を更新部４８へ出力する。
【０３２０】
更新部４８は、たとえば自己の需要家装置２０２のアドレスおよび電力消費管理装置１０１のアドレスを保持している。
【０３２１】
更新部４８は、負荷情報受け付け部４９から入力情報を受けると、以下の処理を行う。すなわち、更新部４８は、たとえば、入力情報のうち新規負荷ＩＤ、抑制可能量および制御内容を含む新規負荷情報を生成する。新規負荷情報は、このような内容に限らず、電力需要施設において新たに登録すべき負荷２０５である新規負荷２０５、に関する負荷情報であればよい。
【０３２２】
また、更新部４８は、たとえば、入力情報のうち新規負荷ＩＤ、制御Ｉ／Ｆおよび制御方法を一時的に保持しておく。
【０３２３】
更新部４８は、たとえば、自己の需要家装置２０２のアドレス、新規負荷情報および電力消費管理装置１０１のアドレスを送信部４３へ出力する。
【０３２４】
たとえば、送信部４３は、更新部４８から需要家装置２０２のアドレス、新規負荷情報および電力消費管理装置１０１のアドレスを受けると、電力消費管理装置１０１のアドレスを宛先として、需要家装置２０２のアドレスおよび新規負荷情報を含む登録信号を電力消費管理装置１０１へインターネット１０経由で送信する。
【０３２５】
再び図１７を参照して、電力消費管理装置１０１における受信部２２は、需要家装置２０２から登録信号をインターネット１０経由で受信すると、受信した登録信号を更新部２８へ出力する。
【０３２６】
更新部２８は、受信部２２から登録信号を受けると、受けた登録信号から送信元の需要家装置２０２のアドレスおよび新規負荷情報を取得し、取得した新規負荷情報から新規負荷ＩＤ、抑制可能量および制御内容を取得する。
【０３２７】
更新部２８は、たとえば記憶部２６におけるアドレス表を参照し、受信部２２から受けた送信元の需要家装置２０２のアドレスに対応する需要家のＩＤを取得する。
【０３２８】
そして、更新部２８は、取得した需要家のＩＤと新規負荷ＩＤ、抑制可能量および制御内容とを対応付けて記憶部２６におけるＤＬＣマッピングテーブルＴｂｌ１に書き込み、新規負荷２０５を登録する。
【０３２９】
そして、更新部２８は、新規負荷２０５が登録された旨を示す応答情報、および送信元の需要家装置２０２のアドレスを送信部２３へ出力する。
【０３３０】
たとえば、送信部２３は、更新部２８から応答情報および送信元の需要家装置２０２のアドレスを受けると、受けたアドレスを宛先として、応答情報を含む応答信号を新規負荷情報の送信元の需要家装置２０２へインターネット１０経由で送信する。
【０３３１】
再び図１６を参照して、需要家装置２０２における受信部４２は、たとえば、電力消費管理装置１０１から応答信号をインターネット１０経由で受信すると、受信した応答信号から応答情報を取得し、取得した応答情報を更新部４８へ出力する。
【０３３２】
更新部４８は、受信部４２から応答情報を受けると、受けた応答情報に対応する新規負荷２０５との通信方法に関する情報を記憶部４５に保存する。
【０３３３】
具体的には、更新部４８は、たとえば、一時的に保持しておいた新規負荷ＩＤ、制御Ｉ／Ｆおよび制御方法を記憶部４５における負荷制御テーブルＴｂｌ２に書き込む。
【０３３４】
［新たな負荷２０５を登録する際の動作］
図１８は、本発明の第２の実施の形態に係る電力消費管理システムにおける新規負荷登録処理のシーケンスの一例を示す図である。
【０３３５】
図１８を参照して、まず、需要家装置２０２は、電力需要施設において節電制御の対象にしようとする新たな負荷２０５の新規負荷ＩＤ、抑制可能量、制御内容、制御Ｉ／Ｆおよび制御方法を需要家から受け付ける（ステップＳ２０２）。
【０３３６】
次に、需要家装置２０２は、新規負荷ＩＤ、抑制可能量、制御内容、制御Ｉ／Ｆおよび制御方法を受け付けて、以下の処理を行う。すなわち、需要家装置２０２は、新規負荷ＩＤ、抑制可能量および制御内容を含む新規負荷情報を作成し、作成した新規負荷情報、および自己の需要家装置２０２のアドレスを含む登録信号を電力消費管理装置１０１へ送信する。また、需要家装置２０２は、新規負荷ＩＤ、制御Ｉ／Ｆおよび制御方法を一時的に保持しておく（ステップＳ２０４）。
【０３３７】
次に、電力消費管理装置１０１は、需要家装置２０２から登録信号を受信すると、受信した登録信号から新規負荷情報、および送信元の需要家装置２０２のアドレスを取得する。電力消費管理装置１０１は、送信元の需要家装置２０２のアドレスに基づいて対応の需要家のＩＤを取得する。そして、電力消費管理装置１０１は、取得した需要家のＩＤと新規負荷情報とを対応付けて記憶部２６におけるＤＬＣマッピングテーブルＴｂｌ１に書き込む（ステップＳ２０６）。
【０３３８】
次に、電力消費管理装置１０１は、応答情報を含む応答信号を送信元の需要家装置２０２へインターネット１０経由で送信する（ステップＳ２０８）。
【０３３９】
次に、需要家装置２０２は、電力消費管理装置１０１から応答情報を含む応答信号を受信すると、一時的に保持しておいた新規負荷ＩＤ、制御Ｉ／Ｆおよび制御方法を記憶部４５における負荷制御テーブルＴｂｌ２に書き込む（ステップＳ２１０）。
【０３４０】
［負荷２０５の抹消］
再び図１６を参照して、需要家は、たとえば、電力需要施設において節電制御の対象から除外したい負荷２０５があるときは、当該負荷２０５について、以下の内容を登録する。
【０３４１】
具体的には、需要家は、たとえば、負荷情報受け付け部４９を操作して、当該除外したい負荷２０５のＩＤ（以下、抹消対象負荷ＩＤとも称する。）を入力する。
【０３４２】
負荷情報受け付け部４９は、たとえば、需要家の操作を受け付け、受け付けた操作の内容に基づく入力情報を作成し、作成した入力情報を更新部４８へ出力する。
【０３４３】
更新部４８は、負荷情報受け付け部４９から入力情報を受けると、受けた入力情報から抹消対象負荷ＩＤを抹消対象負荷情報として取得する。抹消対象負荷情報は、抹消対象負荷ＩＤに限らず、電力需要施設において登録を抹消すべき負荷２０５である抹消対象負荷２０５、に関する負荷情報であればよい。また、更新部４８は、たとえば、抹消対象負荷情報を一時的に保持しておく。
【０３４４】
更新部４８は、たとえば、自己の需要家装置２０２のアドレス、抹消対象負荷情報および電力消費管理装置１０１のアドレスを送信部４３へ出力する。
【０３４５】
たとえば、送信部４３は、更新部４８から需要家装置２０２のアドレス、抹消対象負荷情報および電力消費管理装置１０１のアドレスを受けると、電力消費管理装置１０１のアドレスを宛先として、需要家装置２０２のアドレスおよび抹消対象負荷情報を含む登録信号を電力消費管理装置１０１へインターネット１０経由で送信する。
【０３４６】
再び図１７を参照して、電力消費管理装置１０１における受信部２２は、需要家装置２０２から登録信号をインターネット１０経由で受信すると、受信した登録信号を更新部２８へ出力する。
【０３４７】
更新部２８は、受信部２２から登録信号を受けると、受けた登録信号から送信元の需要家装置２０２のアドレスおよび抹消対象負荷情報を取得する。
【０３４８】
そして、更新部２８は、取得した抹消対象負荷情報すなわち抹消対象負荷ＩＤを用いて、当該抹消対象負荷ＩＤに対応する抑制可能量および制御内容を記憶部２６におけるＤＬＣマッピングテーブルＴｂｌ１から削除する。
【０３４９】
そして、更新部２８は、抹消対象負荷２０５の登録が抹消された旨を示す応答情報、および送信元の需要家装置２０２のアドレスを送信部２３へ出力する。
【０３５０】
たとえば、送信部２３は、更新部２８から応答情報および送信元の需要家装置２０２のアドレスを受けると、受けたアドレスを宛先として、応答情報を含む応答信号を抹消対象負荷情報の送信元の需要家装置２０２へインターネット１０経由で送信する。
【０３５１】
再び図１６を参照して、需要家装置２０２における受信部４２は、たとえば、電力消費管理装置１０１から応答信号をインターネット１０経由で受信すると、受信した応答信号から応答情報を取得し、取得した応答情報を更新部４８へ出力する。
【０３５２】
更新部４８は、受信部４２から応答情報を受けると、受けた応答情報に対応する抹消対象負荷２０５との通信方法を記憶部４５から削除する。
【０３５３】
具体的には、更新部４８は、たとえば、一時的に保持しておいた抹消対象負荷情報すなわち抹消対象負荷ＩＤを用いて、当該抹消対象負荷ＩＤに対応する制御Ｉ／Ｆおよび制御方法を記憶部４５における負荷制御テーブルＴｂｌ２から削除する。
【０３５４】
［負荷２０５を抹消する際の動作］
図１９は、本発明の第２の実施の形態に係る電力消費管理システムにおける負荷抹消処理のシーケンスの一例を示す図である。
【０３５５】
図１９を参照して、まず、需要家装置２０２は、電力需要施設において節電制御の対象から除外したい負荷２０５の抹消対象負荷ＩＤを需要家から受け付ける（ステップＳ２５２）。
【０３５６】
次に、需要家装置２０２は、抹消対象負荷ＩＤを受け付けて、受け付けた抹消対象負荷ＩＤを示す抹消対象負荷情報、および自己の需要家装置２０２のアドレスを含む登録信号を電力消費管理装置１０１へ送信する。また、需要家装置２０２は、抹消対象負荷情報を一時的に保持しておく（ステップＳ２５４）。
【０３５７】
次に、電力消費管理装置１０１は、需要家装置２０２から登録信号を受信すると、受信した登録信号から抹消対象負荷情報の示す抹消対象負荷ＩＤ、および送信元の需要家装置２０２のアドレスを取得する。そして、電力消費管理装置１０１は、取得した抹消対象負荷ＩＤを用いて、当該抹消対象負荷ＩＤに対応する抑制可能量および制御内容を記憶部２６におけるＤＬＣマッピングテーブルＴｂｌ１から削除する（ステップＳ２５６）。
【０３５８】
次に、電力消費管理装置１０１は、応答情報を含む応答信号を送信元の需要家装置２０２へインターネット１０経由で送信する（ステップＳ２５８）。
【０３５９】
次に、需要家装置２０２は、電力消費管理装置１０１から応答情報を含む応答信号を受信すると、一時的に保持しておいた抹消対象負荷情報の示す抹消対象負荷ＩＤを用いて、当該抹消対象負荷ＩＤに対応する制御Ｉ／Ｆおよび制御方法を記憶部４５における負荷制御テーブルＴｂｌ２から削除する（ステップＳ２６０）。
【０３６０】
以上のように、本発明の第２の実施の形態に係る需要家装置では、送信部４３は、電力需要施設において新たに登録すべき負荷２０５である新規負荷２０５、に関する新規負荷情報を送信する。受信部４２は、新規負荷２０５が登録された旨を示す応答情報を受信する。
【０３６１】
このような構成により、需要家装置２０２における処理によってたとえばアグリゲータ側の装置に新規負荷２０５を登録することができるので、アグリゲータ側の装置を操作して新規負荷２０５を登録するというオペレータの負担を軽減し、かつ新規負荷２０５の登録を迅速に行うことができる。また、登録情報を含むテーブルのメンテナンス処理の負荷を軽減することができる。
【０３６２】
また、本発明の第２の実施の形態に係る需要家装置では、記憶部４５は、１または複数の負荷２０５との通信方法に関する情報を記憶する。更新部４８は、受信部４２によって受信された応答情報に対応する新規負荷２０５との通信方法に関する情報を記憶部４５に保存する。
【０３６３】
このように、たとえば、アグリゲータ側の装置に新規負荷２０５が登録されたことに応答して新規負荷２０５との通信方法に関する情報を記憶部４５に保存する構成により、アグリゲータ側の装置における登録内容と記憶部４５における保存内容との同期をとることができる。
【０３６４】
また、本発明の第２の実施の形態に係る需要家装置では、送信部４３は、電力需要施設において登録を抹消すべき負荷２０５である抹消対象負荷２０５、に関する抹消対象負荷情報を送信する。受信部４２は、抹消対象負荷２０５の登録が抹消された旨を示す応答情報を受信する。
【０３６５】
このような構成により、需要家装置２０２における処理によってたとえばアグリゲータ側の装置から抹消対象負荷２０５を抹消することができるので、アグリゲータ側の装置を操作して抹消対象負荷２０５を抹消するというオペレータの負担を軽減し、かつ抹消対象負荷２０５の抹消を迅速に行うことができる。また、登録情報を含むテーブルのメンテナンス処理の負荷を軽減することができる。
【０３６６】
また、本発明の第２の実施の形態に係る需要家装置では、記憶部４５は、１または複数の負荷との通信方法に関する情報を記憶する。更新部４８は、受信部４２によって受信された応答情報に対応する抹消対象負荷２０５との通信方法に関する情報を記憶部４５から削除する。
【０３６７】
このように、たとえば、アグリゲータ側の装置から抹消対象負荷２０５が抹消されたことに応答して抹消対象負荷２０５との通信方法に関する情報を記憶部４５から削除する構成により、アグリゲータ側の装置における登録内容と記憶部４５における保存内容との同期をとることができる。
【０３６８】
その他の構成および動作は第１の実施の形態に係る電力消費管理システムと同様であるため、ここでは詳細な説明を繰り返さない。
【０３６９】
次に、本発明の他の実施の形態について図面を用いて説明する。なお、図中同一または相当部分には同一符号を付してその説明は繰り返さない。
【０３７０】
＜第３の実施の形態＞
本実施の形態は、第１の実施の形態に係る電力消費管理システムと比べて負荷の状態に基づく制御を行う電力消費管理システムに関する。以下で説明する内容以外は第１の実施の形態に係る電力消費管理システムと同様である。
【０３７１】
図２０は、本発明の第３の実施の形態に係る電力消費管理システムにおける需要家装置の構成を示す図である。
【０３７２】
図２０を参照して、需要家装置２０２は、本発明の第１の実施の形態に係る需要家装置と比べて、さらに、状態情報取得部５０と、削除部５１とを備える。
【０３７３】
図２１は、本発明の第３の実施の形態に係る電力消費管理システムにおける電力消費管理装置の構成を示す図である。
【０３７４】
図２１を参照して、電力消費管理装置１０１は、本発明の第１の実施の形態に係る電力消費管理装置と比べて、さらに、削除部３０と、評価部３１とを備える。
【０３７５】
［制御状態の取得］
再び図２０を参照して、需要家装置２０２における状態情報取得部５０は、対象負荷２０５の動作状態を示す状態情報をたとえば定期的に取得する。
【０３７６】
具体的には、状態情報取得部５０は、たとえば、制御部４４による接点信号制御を受ける対象負荷２０５のスイッチの状態を動作状態として取得する。状態情報取得部５０は、当該スイッチの状態を対象負荷２０５から直接取得してもよいし、接点信号制御の制御結果を制御部４４から受けることにより取得してもよい。
【０３７７】
また、状態情報取得部５０は、たとえば、制御部４４によるネットワーク制御を受ける対象負荷２０５のスイッチの状態および設定値を動作状態として取得する。状態情報取得部５０は、当該スイッチの状態および当該設定値を対象負荷２０５からＬＡＮ１１経由で取得してもよいし、ネットワーク制御の制御結果を制御部４４から受けることにより取得してもよい。
【０３７８】
状態情報取得部５０は、対象負荷２０５のスイッチの状態および設定値と対応の対象負荷ＩＤ（以下、評価対象負荷ＩＤとも称する。）とを含む状態情報を生成し、生成した状態情報、自己の需要家装置２０２のアドレスおよび電力消費管理装置１０１のアドレスを送信部４３へ出力する。
【０３７９】
たとえば、送信部４３は、状態情報取得部５０から状態情報、需要家装置２０２のアドレスおよび電力消費管理装置１０１のアドレスを受けると、電力消費管理装置１０１のアドレスを宛先として、状態情報および需要家装置２０２のアドレスを含む状態信号を電力消費管理装置１０１へインターネット１０経由で送信する。
【０３８０】
［制御状態の評価］
再び図２１を参照して、電力消費管理装置１０１における受信部２２は、需要家装置２０２から状態信号をインターネット１０経由で受信すると、受信した状態信号を評価部３１へ出力する。
【０３８１】
評価部３１は、受信部２２から状態信号を受けると、受けた状態信号から状態情報および送信元の需要家装置２０２のアドレスを取得する。評価部３１は、状態情報から対象負荷２０５のスイッチの状態および設定値と評価対象負荷ＩＤとを取得する。
【０３８２】
評価部３１は、取得した状態情報に基づいて、対象負荷２０５に対する需要家装置２０２の制御を評価する。
【０３８３】
具体的には、評価部３１は、たとえば、評価対象負荷ＩＤに対応する対象負荷２０５に対して負荷決定部２５が与えた制御内容を負荷決定部２５から取得し、取得した制御内容と対象負荷２０５のスイッチの状態および設定値とを比較することにより、対象負荷２０５に対する需要家装置２０２の制御を評価する。
【０３８４】
評価部３１は、たとえば、上記比較を行う際に、ＤＲ開始タイミング前の状態情報とＤＲ開始タイミング後の状態情報とを参考に用いる。
【０３８５】
たとえば、評価部３１は、制御内容と対象負荷２０５のスイッチの状態および設定値とが一致している場合、対象負荷２０５に対する需要家装置２０２の制御を「良好」と評価する。
【０３８６】
一方、たとえば、評価部３１は、制御内容と対象負荷２０５のスイッチの状態および設定値とが一致していない場合、対象負荷２０５に対する需要家装置２０２の制御を「不良」と評価する。
【０３８７】
評価部３１は、たとえば、対象負荷２０５に対する需要家装置２０２の制御を「不良」と評価した場合、評価結果を負荷決定部２５へ通知し、また、評価対象負荷ＩＤおよび送信元の需要家装置２０２のアドレスを削除部３０へ出力する。
【０３８８】
なお、評価部３１は、対象負荷２０５に対する需要家装置２０２の制御を「不良」であると複数回評価した場合に、評価結果を負荷決定部２５へ通知し、また、評価対象負荷ＩＤおよび送信元の需要家装置２０２のアドレスを削除部３０へ出力してもよい。
【０３８９】
［対象負荷２０５の追加］
負荷決定部２５は、評価部３１から評価結果の通知を受けると、以下の処理を行う。すなわち、負荷決定部２５は、たとえば、図４に示すＤＬＣマッピングテーブルＴｂｌ１に含まれる節電パターンのうち、現在節電制御の対象となっている対象節電パターンを除いた節電パターンの中から新たに節電の対象とすべき１または複数の対象節電パターンを決定する。
【０３９０】
負荷決定部２５は、決定した対象節電パターンに基づいて対象負荷制御情報を生成し、生成した対象負荷制御情報を送信部２３経由で需要家装置２０２へ送信する。
【０３９１】
［評価不良の対象負荷２０５の削除］
削除部３０は、評価部３１による制御の評価結果に基づいて、記憶部２６が記憶する対象負荷２０５の候補の中から抹消すべき対象負荷２０５を決定し、決定した対象負荷２０５に関する情報を記憶部２６から削除する。
【０３９２】
具体的には、削除部３０は、たとえば、評価部３１から評価対象負荷ＩＤおよび送信元の需要家装置２０２のアドレスを受けると、評価対象負荷ＩＤに対応する対象負荷２０５を抹消すべき対象負荷２０５であると認識する。
【０３９３】
そして、削除部３０は、たとえば、記憶部２６におけるＤＬＣマッピングテーブルＴｂｌ１において、評価対象負荷ＩＤに対応する抑制可能量および制御内容を削除する。
【０３９４】
そして、削除部３０は、評価対象負荷ＩＤに対応する対象負荷２０５の登録が抹消された旨を示す応答情報、および送信元の需要家装置２０２のアドレスを送信部２３へ出力する。
【０３９５】
たとえば、送信部２３は、削除部３０から応答情報および送信元の需要家装置２０２のアドレスを受けると、受けたアドレスを宛先として、応答情報を含む応答信号を状態情報の送信元の需要家装置２０２へインターネット１０経由で送信する。
【０３９６】
再び図２０を参照して、需要家装置２０２における受信部４２は、たとえば、電力消費管理装置１０１から応答信号をインターネット１０経由で受信すると、受信した応答信号から応答情報を取得し、取得した応答情報を削除部５１へ出力する。
【０３９７】
削除部５１は、受信部４２から応答情報を受けると、受けた応答情報に基づいて、評価対象負荷ＩＤに対応する対象負荷２０５の登録が抹消されたことを認識する。そして、削除部５１は、評価対象負荷ＩＤに対応する制御Ｉ／Ｆおよび制御方法を記憶部４５における負荷制御テーブルＴｂｌ２から削除する。
【０３９８】
なお、削除部３０は、評価部３１から評価対象負荷ＩＤを受けると、受けた評価対象負荷ＩＤに対応する抑制可能量および制御内容をＤＬＣマッピングテーブルＴｂｌ１から削除する構成であるとしたが、これに限定するものではない。
【０３９９】
削除部３０は、たとえば、エコネットプロトコルを用いて評価対象負荷ＩＤに対応する対象負荷２０５と通信を行うことが可能である場合、当該対象負荷２０５の動作状態を自ら取得し、取得した動作状態を自ら確認した後、確認結果に基づいて、対応の情報をＤＬＣマッピングテーブルＴｂｌ１から削除する構成であってもよい。
【０４００】
［制御状態を評価する際の動作］
図２２は、本発明の第３の実施の形態に係る電力消費管理システムにおける電力消費抑制処理のシーケンスの一例を示す図である。
【０４０１】
図２２を参照して、ステップＳ３０２〜Ｓ３１０の動作は、図８に示すステップＳ１０２〜Ｓ１１０の動作と同様である。
【０４０２】
次に、需要家装置２０２は、たとえば、負荷２０５Ａ，２０５Ｂ，２０５Ｄにおけるスイッチの状態および設定値を示す動作状態を、負荷２０５Ａ、ＬＡＮ接点変換器２０７および負荷２０５Ｄからそれぞれ定期的に取得する（ステップＳ３１２、Ｓ３１４およびＳ３１６）。
【０４０３】
次に、需要家装置２０２は、取得した動作状態を示す状態情報、および自己の需要家装置２０２のアドレスを含む状態信号を電力消費管理装置１０１へ送信する（ステップＳ３１８）。
【０４０４】
次に、需要家装置２０２は、カウンタ４６のカウント値からＤＲ開始タイミングが到来したことを認識する（ステップＳ３２０）。
【０４０５】
次に、需要家装置２０２は、取得した対象負荷制御情報、ならびに接続Ｉ／Ｆおよび制御方法に基づいて、スイッチをオフするための接点信号を対象負荷ＩＤに対応する負荷２０５Ａへ送信する（ステップＳ３２２）。
【０４０６】
また、需要家装置２０２は、取得した対象負荷制御情報、ならびに接続Ｉ／Ｆおよび制御方法に基づいて、スイッチをオフすることを示す制御命令を、イーサネット規格に従って、対象負荷ＩＤに対応する負荷２０５Ｂに対して接点信号制御を行うＬＡＮ接点変換器２０７へ送信する（ステップＳ３２４）。
【０４０７】
次に、ＬＡＮ接点変換器２０７は、需要家装置２０２から制御命令を受信すると、受信した制御命令に基づいて、スイッチをオフするための接点信号を負荷２０５Ｂへ送信する（ステップＳ３２５）。
【０４０８】
次に、需要家装置２０２は、たとえば、負荷２０５Ａ，２０５Ｂ，２０５Ｄにおけるスイッチの状態および設定値を示す動作状態を、負荷２０５Ａ、ＬＡＮ接点変換器２０７および負荷２０５Ｄからそれぞれ定期的に取得する（ステップＳ３２６、Ｓ３２８およびＳ３３０）。
【０４０９】
次に、需要家装置２０２は、取得した動作状態を示す状態情報、および自己の需要家装置２０２のアドレスを含む状態信号を電力消費管理装置１０１へ送信する（ステップＳ３３２）。
【０４１０】
次に、電力消費管理装置１０１は、需要家装置２０２から状態信号を受信すると、受信した状態信号から状態情報および送信元の需要家装置２０２のアドレスを取得する。そして、電力消費管理装置１０１は、取得した状態情報に基づいて、対象負荷２０５に対する需要家装置２０２の制御を評価する（ステップＳ３３４）。
【０４１１】
電力消費管理装置１０１は、たとえば対象負荷２０５Ｂの評価結果が「不良」であった場合、ＤＬＣマッピングテーブルＴｂｌ１に含まれる節電パターンのうち、現在節電の対象となっている対象節電パターンを除いた節電パターンの中から対象負荷２０５Ｄに対応する節電パターンを新たな対象節電パターンとして決定する（ステップＳ３３６）。
【０４１２】
次に、電力消費管理装置１０１は、決定した対象節電パターンに含まれる対象負荷候補ＩＤおよび対応の制御内容を含む対象負荷制御情報を生成し、生成した対象負荷制御情報を含むＤＬＣ信号を需要家装置２０２へ送信する（ステップＳ３３８）。
【０４１３】
次に、需要家装置２０２は、電力消費管理装置１０１からＤＬＣ信号を受信すると、受信したＤＬＣ信号から対象負荷制御情報を取得し、取得した対象負荷制御情報、および負荷制御テーブルＴｂｌ２の内容に基づいて、対象負荷ＩＤに対応する接続Ｉ／Ｆおよび制御方法を取得する（ステップＳ３４０）。
【０４１４】
次に、需要家装置２０２は、取得した対象負荷制御情報、ならびに接続Ｉ／Ｆおよび制御方法に基づいて、「設定値を３℃上げる」ことを示す制御命令を、イーサネット規格に従って、対象負荷ＩＤに対応する負荷２０５Ｄへ送信する（ステップＳ３４２）。
【０４１５】
次に、電力消費管理装置１０１は、取得した状態情報に含まれる評価対象負荷ＩＤを用いて、当該評価対象負荷ＩＤに対応する抑制可能量および制御内容を記憶部２６におけるＤＬＣマッピングテーブルＴｂｌ１から削除する（ステップＳ３４４）。
【０４１６】
次に、電力消費管理装置１０１は、応答情報を含む応答信号を送信元の需要家装置２０２へインターネット１０経由で送信する（ステップＳ３４６）。
【０４１７】
次に、需要家装置２０２は、電力消費管理装置１０１から応答情報を含む応答信号を受信すると、受信した応答情報に基づいて、評価対象負荷ＩＤに対応する対象負荷２０５の登録が抹消されたことを認識する。そして、需要家装置２０２は、評価対象負荷ＩＤに対応する制御Ｉ／Ｆおよび制御方法を記憶部４５における負荷制御テーブルＴｂｌ２から削除する（ステップＳ３４８）。
【０４１８】
以上のように、本発明の第３の実施の形態に係る需要家装置では、状態情報取得部５０は、対象負荷２０５の動作状態を示す状態情報を取得する。送信部４３は、状態情報取得部５０によって取得された状態情報を送信する。
【０４１９】
このような構成により、需要家装置２０２の動作状態をたとえばアグリゲータ側の装置へ通知することができるので、アグリゲータ側の装置は、需要家装置２０２の動作状態に基づいて、たとえば対象負荷２０５の電力消費を抑制する制御に対してフィードバックをかけることができる。
【０４２０】
また、本発明の第３の実施の形態に係る電力消費管理装置では、受信部２２は、対象負荷２０５の動作状態を示す状態情報を需要家装置２０２から受信する。評価部３１は、受信部２２によって受信された状態情報に基づいて、対象負荷２０５に対する需要家装置２０２の制御を評価する。
【０４２１】
このような構成により、対象負荷２０５に対する需要家装置２０２の制御の評価結果に基づいて、たとえば現在の需要家装置２０２の動作状態に応じた内容の制御へ変更することができる。
【０４２２】
また、本発明の第３の実施の形態に係る電力消費管理装置では、記憶部２６は、対象負荷の候補に関する情報を記憶する。削除部３０は、評価部３１による制御の評価結果に基づいて、記憶部２６における対象負荷２０５の候補の中から抹消すべき対象負荷２０５を決定し、決定した対象負荷２０５に関する情報を記憶部２６から削除する。
【０４２３】
このような構成により、たとえば制御性が悪い対象負荷２０５の候補を記憶部２６から削除することができるので、記憶部２６における対象負荷２０５の候補において制御性が良い対象負荷２０５の候補の割合を増やすことができる。
【０４２４】
その他の構成および動作は第１の実施の形態に係る電力消費管理システムと同様であるため、ここでは詳細な説明を繰り返さない。
【０４２５】
次に、本発明の他の実施の形態について図面を用いて説明する。なお、図中同一または相当部分には同一符号を付してその説明は繰り返さない。
【０４２６】
＜第４の実施の形態＞
本実施の形態は、第１の実施の形態に係る電力消費管理システムと比べて電力消費量に基づく制御を行う電力消費管理システムに関する。以下で説明する内容以外は第１の実施の形態に係る電力消費管理システムと同様である。
【０４２７】
図２３は、本発明の第４の実施の形態に係る電力消費管理システムの適用例を示す図である。
【０４２８】
図２３を参照して、電力消費管理システム３０１は、本発明の第１の実施の形態に係る電力消費管理システムと比べて、さらに、電力メータ２０６を備える。
【０４２９】
電力メータ２０６は、たとえば、需要家ＡＡＡの電力需要施設における電力消費量を測定し、測定した電力消費量を需要家装置２０２へ定期的に出力する。
【０４３０】
図２４は、本発明の第４の実施の形態に係る電力消費管理システムにおける需要家装置の構成を示す図である。
【０４３１】
図２４を参照して、需要家装置２０２は、本発明の第１の実施の形態に係る需要家装置と比べて、さらに、削除部５１と、消費情報取得部５２とを備える。需要家装置２０２における削除部５１の動作は、図２０に示す需要家装置２０２における削除部５１と同様である。
【０４３２】
図２５は、本発明の第４の実施の形態に係る電力消費管理システムにおける電力消費管理装置の構成を示す図である。
【０４３３】
図２５を参照して、電力消費管理装置１０１は、本発明の第１の実施の形態に係る電力消費管理装置と比べて、さらに、削除部３０と、評価部３２とを備える。電力消費管理装置１０１における削除部３０の動作は、図２１に示す電力消費管理装置１０１における削除部３０と同様である。
【０４３４】
［電力消費量の取得］
再び図２４を参照して、需要家装置２０２における消費情報取得部５２は、電力需要施設における電力消費量を示す電力消費情報をたとえば定期的に取得する。具体的には、消費情報取得部５２は、電力メータ２０６から電力消費量を定期的に受信する。消費情報取得部５２は、受信した電力消費量を含む電力消費情報を生成し、生成した電力消費情報、自己の需要家装置２０２のアドレスおよび電力消費管理装置１０１のアドレスを送信部４３へ出力する。
【０４３５】
たとえば、送信部４３は、消費情報取得部５２から電力消費情報、需要家装置２０２のアドレスおよび電力消費管理装置１０１のアドレスを受けると、電力消費管理装置１０１のアドレスを宛先として、電力消費情報および需要家装置２０２のアドレスを含む電力消費信号を電力消費管理装置１０１へインターネット１０経由で送信する。
【０４３６】
［制御状態の評価］
再び図２５を参照して、電力消費管理装置１０１における受信部２２は、需要家装置２０２から電力消費信号をインターネット１０経由で受信すると、受信した電力消費信号を負荷決定部２５および評価部３２へ出力する。
【０４３７】
負荷決定部２５は、受信部２２から電力消費信号を受けると、受けた電力消費信号から電力消費情報および送信元の需要家装置２０２のアドレスを取得する。
【０４３８】
負荷決定部２５は、たとえば、取得した電力消費情報が示す電力需要施設における電力消費量に基づいて、本発明の第１の実施の形態において説明した過去の抑制量の実績値を算出する。
【０４３９】
また、負荷決定部２５は、たとえば、電力管理情報の示す電力消費の目標である電力消費目標を算出する。
【０４４０】
具体的には、負荷決定部２５は、たとえば、各電力需要施設における消費電力量の想定値を系統側管理装置１５１から受信部２２および管理情報取得部２４経由で受信するか、または保持している。消費電力量の想定値は、たとえば電力消費を抑制しなかった場合の電力消費量であり、過去の電力消費データ等に基づいて算出される。
【０４４１】
負荷決定部２５は、たとえば、消費電力量の想定値から上述の方法（Ａ１）により算出される平均総和を差し引いた値を電力消費目標として算出する。負荷決定部２５は、算出した電力消費目標を評価部３２へ出力する。
【０４４２】
なお、負荷決定部２５は、たとえば、上述の方法（Ｂ）により算出される想定電力量Ｍから想定抑制量Ｋを差し引いた値を電力消費目標として算出してもよい。
【０４４３】
評価部３２は、受信部２２によって受信された電力消費情報の示す電力消費量、および電力管理情報の示す電力消費の目標を比較し、比較した結果に基づいて対象負荷２０５に対する需要家装置２０２の制御を評価する。
【０４４４】
具体的には、評価部３２は、受信部２２から電力消費信号を受けると、受けた電力消費信号から電力消費情報を取得する。
【０４４５】
評価部３２は、取得した電力消費情報の示す電力消費量、および負荷決定部２５から受ける電力消費目標を比較する。
【０４４６】
評価部３２は、たとえば、電力消費量が電力消費目標以下である場合、対象負荷２０５に対する需要家装置２０２の制御を「良好」と評価する。
【０４４７】
一方、評価部３２は、たとえば、電力消費量が電力消費目標を超える場合、対象負荷２０５に対する需要家装置２０２の制御を「不良」と評価する。
【０４４８】
評価部３１は、たとえば、対象負荷２０５に対する需要家装置２０２の制御を「不良」と評価した場合、制御不良通知を負荷決定部２５へ出力する。
【０４４９】
なお、評価部３１は、対象負荷２０５に対する需要家装置２０２の制御を「不良」であると複数回評価した場合に、制御不良通知を負荷決定部２５へ出力してもよい。
【０４５０】
［対象負荷２０５の削除］
負荷決定部２５は、評価部３１から制御不良通知を受けると、たとえば、以下のいずれかの方法を用いて、現在制御を行っている対象負荷２０５の中から削除対象の対象負荷２０５を決定する。
【０４５１】
すなわち、負荷決定部２５は、現在制御を行っている対象負荷２０５の中からすべての対象負荷２０５を削除対象の対象負荷２０５として決定する。
【０４５２】
また、たとえば、各節電パターンに予め優先度が付与されている場合、負荷決定部２５は、当該優先度に応じて削除対象の対象負荷２０５を決定する。
【０４５３】
また、たとえば、負荷決定部２５は、抑制可能量の大きさに応じて削除対象の対象負荷２０５を決定する。
【０４５４】
また、負荷決定部２５は、たとえば現在制御を行っている対象負荷２０５の中から輪番で対象負荷２０５を選択し、選択した対象負荷２０５を削除対象の対象負荷２０５として決定する。
【０４５５】
また、負荷決定部２５は、たとえば現在制御を行っている対象負荷２０５の中からランダムに対象負荷２０５を選択し、選択した対象負荷２０５を削除対象の対象負荷２０５として決定する。
【０４５６】
また、負荷決定部２５は、たとえば、現在制御を行っている対象負荷２０５の個別の電力削減量を取得し、取得した電力削減量に基づいて削除対象の対象負荷２０５を決定する。
【０４５７】
より詳細には、負荷決定部２５は、たとえば、現在制御を行っている対象負荷２０５のうちの１つの対象負荷２０５に対する制御内容をＤＲ開始タイミングより前の制御内容に一時的に戻す。
【０４５８】
そして、負荷決定部２５は、たとえば、制御内容を戻した後における電力需要施設における電力消費量から制御内容を戻す前における電力需要施設における電力消費量を差し引くことにより個別の電力削減量を取得する。
【０４５９】
そして、負荷決定部２５は、現在制御を行っている対象負荷２０５のすべてについての個別の電力削減量を取得する。
【０４６０】
負荷決定部２５は、たとえば、電力削減量が小さい対象負荷２０５を削除対象の対象負荷２０５として決定する。
【０４６１】
負荷決定部２５は、削除対象の対象負荷２０５を決定すると、決定した対象負荷２０５のＩＤ（以下、削除対象負荷ＩＤとも称する。）を記憶部２６におけるＤＬＣマッピングテーブルＴｂｌ１から取得し、取得した削除対象負荷ＩＤおよび送信元の需要家装置２０２のアドレスを削除部３０へ出力する。
【０４６２】
削除部３０は、評価部３２による制御の評価結果に基づいて、記憶部２６が記憶する対象負荷２０５の候補の中から抹消すべき対象負荷２０５を決定し、決定した対象負荷２０５に関する情報を記憶部２６から削除する。
【０４６３】
具体的には、削除部３０は、たとえば、負荷決定部２５から削除対象負荷ＩＤおよび送信元の需要家装置２０２のアドレスを受けると、記憶部２６におけるＤＬＣマッピングテーブルＴｂｌ１において、削除対象負荷ＩＤに対応する抑制可能量および制御内容を削除する。
【０４６４】
そして、削除部３０は、評価対象負荷ＩＤに対応する対象負荷２０５の登録が抹消された旨を示す応答情報を、送信元の需要家装置２０２へ送信部２３経由で送信する。
【０４６５】
［対象負荷２０５の追加］
また、負荷決定部２５は、評価部３１から制御不良通知を受けると、以下の処理を行う。すなわち、負荷決定部２５は、たとえば、図４に示すＤＬＣマッピングテーブルＴｂｌ１に含まれる節電パターンのうち、現在節電の対象となっている対象節電パターンを除いた節電パターンの中から新たに節電の対象とすべき１または複数の対象節電パターンを決定する。
【０４６６】
負荷決定部２５は、決定した対象節電パターンに基づいて対象負荷制御情報を生成し、生成した対象負荷制御情報を送信部２３経由で需要家装置２０２へ送信する。
【０４６７】
［制御状態を評価する際の動作］
図２６は、本発明の第４の実施の形態に係る電力消費管理システムにおける電力消費抑制処理のシーケンスの一例を示す図である。
【０４６８】
図２６を参照して、ステップＳ４０２〜Ｓ４１０の動作は、図８に示すステップＳ１０２〜Ｓ１１０の動作と同様である。
【０４６９】
次に、需要家装置２０２は、電力需要施設における電力消費量をたとえば定期的に電力メータ２０６から取得する（ステップＳ４１２）。
【０４７０】
次に、需要家装置２０２は、取得した電力消費量を含む電力消費情報を生成し、生成した電力消費情報、および自己の需要家装置２０２のアドレスを含む電力消費信号をたとえば定期的に電力消費管理装置１０１へ送信する（ステップＳ４１４）。
【０４７１】
次に、需要家装置２０２は、カウンタ４６のカウント値からＤＲ開始タイミングが到来したことを認識する（ステップＳ４１６）。
【０４７２】
次に、需要家装置２０２は、取得した対象負荷制御情報、ならびに接続Ｉ／Ｆおよび制御方法に基づいて、スイッチをオフすることを示す制御命令を、イーサネット規格に従って、対象負荷ＩＤに対応する負荷２０５Ｂに対して接点信号制御を行うＬＡＮ接点変換器２０７へ送信する（ステップＳ４１８）。
【０４７３】
次に、ＬＡＮ接点変換器２０７は、需要家装置２０２から制御命令を受信すると、受信した制御命令に基づいて、スイッチをオフするための接点信号を負荷２０５Ｂへ送信する（ステップＳ４１９）。
【０４７４】
次に、需要家装置２０２は、電力需要施設における電力消費量をたとえば定期的に電力メータ２０６から取得する（ステップＳ４２０）。
【０４７５】
次に、需要家装置２０２は、取得した電力消費量を含む電力消費情報を生成し、生成した電力消費情報、および自己の需要家装置２０２のアドレスを含む電力消費信号をたとえば定期的に電力消費管理装置１０１へ送信する（ステップＳ４２２）。
【０４７６】
次に、電力消費管理装置１０１は、需要家装置２０２から電力消費信号を受信すると、受信した電力消費信号から電力消費情報および送信元の需要家装置２０２のアドレスを取得する。そして、電力消費管理装置１０１は、取得した電力消費情報の示す電力消費量、および電力消費目標を比較し、比較した結果に基づいて対象負荷２０５に対する需要家装置２０２の制御を評価する（ステップＳ４２４）。
【０４７７】
電力消費管理装置１０１は、たとえば評価結果が「不良」であった場合、ＤＬＣマッピングテーブルＴｂｌ１に含まれる節電パターンのうち、現在節電の対象となっている対象節電パターンを除いた節電パターンの中から対象負荷２０５Ａに対応する節電パターンを新たな対象節電パターンとして決定する（ステップＳ４２６）。
【０４７８】
次に、電力消費管理装置１０１は、決定した対象節電パターンに含まれる対象負荷候補ＩＤおよび対応の制御内容を含む対象負荷制御情報を生成し、生成した対象負荷制御情報を含むＤＬＣ信号を需要家装置２０２へ送信する（ステップＳ４２８）。
【０４７９】
次に、需要家装置２０２は、電力消費管理装置１０１からＤＬＣ信号を受信すると、受信したＤＬＣ信号から対象負荷制御情報を取得し、取得した対象負荷制御情報、および負荷制御テーブルＴｂｌ２の内容に基づいて、対象負荷ＩＤに対応する接続Ｉ／Ｆおよび制御方法を取得する（ステップＳ４３０）。
【０４８０】
次に、需要家装置２０２は、取得した対象負荷制御情報、ならびに接続Ｉ／Ｆおよび制御方法に基づいて、スイッチをオフするための接点信号を対象負荷ＩＤに対応する負荷２０５Ａへ送信する（ステップＳ４３２）。
【０４８１】
次に、電力消費管理装置１０１は、現在制御を行っている対象負荷２０５の中から削除対象の対象負荷２０５を決定し、決定した対象負荷２０５の対象負荷ＩＤを用いて、当該対象負荷ＩＤに対応する抑制可能量および制御内容を記憶部２６におけるＤＬＣマッピングテーブルＴｂｌ１から削除する（ステップＳ４３４）。
【０４８２】
次に、電力消費管理装置１０１は、応答情報を含む応答信号を送信元の需要家装置２０２へインターネット１０経由で送信する（ステップＳ４３６）。
【０４８３】
次に、需要家装置２０２は、電力消費管理装置１０１から応答情報を含む応答信号を受信すると、受信した応答情報に基づいて、上記対象負荷ＩＤに対応する対象負荷２０５の登録が抹消されたことを認識する。そして、需要家装置２０２は、対応の制御Ｉ／Ｆおよび制御方法を記憶部４５における負荷制御テーブルＴｂｌ２から削除する（ステップＳ４３８）。
【０４８４】
以上のように、本発明の第４の実施の形態に係る需要家装置では、消費情報取得部５２は、電力需要施設における電力消費量を示す電力消費情報を取得する。送信部４３は、消費情報取得部５２によって取得された電力消費情報を送信する。
【０４８５】
このような構成により、需要家装置２０２の電力消費量をたとえばアグリゲータ側の装置へ通知することができるので、アグリゲータ側の装置は、電力消費量に基づいて、対象負荷２０５の電力消費を抑制する制御に対してフィードバックをかけることができる。
【０４８６】
また、本発明の第４の実施の形態に係る電力消費管理装置では、受信部２２は、電力需要施設における電力消費量を示す電力消費情報を需要家装置２０２から受信する。評価部３２は、受信部２２によって受信された電力消費情報の示す電力消費量、および電力管理情報の示す電力消費の目標を比較し、比較した結果に基づいて対象負荷２０５に対する需要家装置２０２の制御を評価する。
【０４８７】
このような構成により、対象負荷２０５に対する需要家装置２０２の制御の、需要家装置２０２の電力消費量に基づく適切な評価結果を用いて、たとえば需要家装置２０２の電力消費量を電力管理情報の示す電力消費の目標により近づける制御を行うことができる。
【０４８８】
また、本発明の第４の実施の形態に係る電力消費管理装置では、記憶部２６は、対象負荷の候補に関する情報を記憶する。削除部３０は、評価部３２による制御の評価結果に基づいて、記憶部２６における対象負荷２０５の候補の中から抹消すべき対象負荷２０５を決定し、決定した対象負荷２０５に関する情報を記憶部２６から削除する。
【０４８９】
このような構成により、たとえば電力消費の抑制能力が低い対象負荷２０５の候補を記憶部２６から削除することができるので、記憶部２６における対象負荷２０５の候補において電力消費の抑制能力が高い対象負荷２０５の候補の割合を増やすことができる。
【０４９０】
その他の構成および動作は第１の実施の形態に係る電力消費管理システムと同様であるため、ここでは詳細な説明を繰り返さない。
【０４９１】
なお、本発明の第１の実施の形態〜第４の実施の形態に係る各装置の構成要素および動作のうち、一部または全部を適宜組み合わせることも可能である。
【０４９２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０４９３】
以上の説明は、以下に付記する特徴を含む。
【０４９４】
［付記１］
電力需要施設における１または複数の負荷を制御可能な需要家装置であって、
電力消費の抑制対象とすべき前記負荷である対象負荷を示す対象負荷情報を受信する受信部と、
前記受信部によって受信された前記対象負荷情報の示す前記対象負荷を制御することにより、前記対象負荷の電力消費を抑制する制御部とを備え、
前記電力需要施設は、ビル、工場または一般家庭であり、
前記需要家装置は、計測装置および制御装置の機能を有し、
前記負荷は、二次電池式電気自動車、プラグインハイブリッドカー、照明、テレビおよび空調装置の少なくともいずれか１つであり、
前記対象負荷情報は、前記対象負荷のＩＤであり、
前記制御部は、前記対象負荷のスイッチのオフおよび設定値の変更の少なくともいずれか一方を行う、需要家装置。
【０４９５】
［付記２］
電力需要施設における電力消費を管理する電力消費管理装置であって、
電力系統側から電力消費に関する電力管理情報を取得する管理情報取得部と、
前記管理情報取得部によって取得された前記電力管理情報に基づいて、電力消費の抑制対象とすべき負荷である対象負荷を決定する負荷決定部と、
前記負荷決定部によって決定された前記対象負荷を示す対象負荷情報を需要家装置へ送信する送信部とを備え、
前記電力需要施設は、ビル、工場または一般家庭であり、
前記電力消費管理装置は、ＤＲＡＳ（Ｄｅｍａｎｄ  Ｒｅｓｐｏｎｓｅ  Ａｕｔｏｍａｔｉｏｎ  Ｓｅｒｖｅｒ）であり、
前記電力管理情報は、電力消費の抑制の対象期間の開始タイミングおよび前記対象期間の長さ、ならびに依頼電力量、電力消費の削減依頼量または削減レベルの少なくともいずれか一つを含み、
前記負荷は、二次電池式電気自動車、プラグインハイブリッドカー、照明、テレビおよび空調装置の少なくともいずれか１つであり、
前記対象負荷情報は、前記対象負荷のＩＤであり、
前記需要家装置は、計測装置および制御装置の機能を有する、電力消費管理装置。
【０４９６】
［付記３］
電力需要施設における電力消費を管理する電力消費管理装置と、
前記電力需要施設における１または複数の負荷を制御可能な需要家装置とを備え、
前記電力消費管理装置は、電力消費の抑制対象とすべき負荷である対象負荷を示す対象負荷情報を前記需要家装置へ送信し、
前記需要家装置は、前記対象負荷情報を前記電力消費管理装置から受信し、受信した前記対象負荷情報の示す前記対象負荷を制御することにより、前記対象負荷の電力消費を抑制し、
前記電力需要施設は、ビル、工場または一般家庭であり、
前記電力消費管理装置は、ＤＲＡＳ（Ｄｅｍａｎｄ  Ｒｅｓｐｏｎｓｅ  Ａｕｔｏｍａｔｉｏｎ  Ｓｅｒｖｅｒ）であり、
前記負荷は、二次電池式電気自動車、プラグインハイブリッドカー、照明、テレビおよび空調装置の少なくともいずれか１つであり、
前記需要家装置は、計測装置および制御装置の機能を有し、
前記対象負荷情報は、前記対象負荷のＩＤであり、
前記需要家装置は、前記対象負荷のスイッチのオフおよび設定値の変更の少なくともいずれか一方を行う、電力消費管理システム。
【符号の説明】
【０４９７】
２２  受信部
２３  送信部
２４  管理情報取得部
２５  負荷決定部
２６  記憶部
２７  カウンタ
２８  更新部
３０  削除部
３１  評価部
３２  評価部
４２  受信部
４３  送信部
４４  制御部
４５  記憶部
４６  カウンタ
４７  表示部
４８  更新部
４９  負荷情報受け付け部
５０  状態情報取得部
５１  削除部
５２  消費情報取得部
１０１，１１１  電力消費管理装置
１５１  系統側管理装置
２０２，２１２  需要家装置
２０３  高負荷
２０４  低負荷
２０５  負荷
２０６  電力メータ
２０７  ＬＡＮ接点変換器
３０１  電力消費管理システム
【図１】
0006744071.tif 000002
【図２】
0006744071.tif 000003
【図３】
0006744071.tif 000004
【図４】
0006744071.tif 000005
【図５】
0006744071.tif 000006
【図６】
0006744071.tif 000007
【図７】
0006744071.tif 000008
【図８】
0006744071.tif 000009
【図９】
0006744071.tif 000010
【図１０】
0006744071.tif 000011
【図１１】
0006744071.tif 000012
【図１２】
0006744071.tif 000013
【図１３】
0006744071.tif 000014
【図１４】
0006744071.tif 000015
【図１５】
0006744071.tif 000016
【図１６】
0006744071.tif 000017
【図１７】
0006744071.tif 000018
【図１８】
0006744071.tif 000019
【図１９】
0006744071.tif 000020
【図２０】
0006744071.tif 000021
【図２１】
0006744071.tif 000022
【図２２】
0006744071.tif 000023
【図２３】
0006744071.tif 000024
【図２４】
0006744071.tif 000025
【図２５】
0006744071.tif 000026
【図２６】
0006744071.tif 000027